(57)【要約】新無線（ＮＲ）ネットワーク中のユーザ機器デバイス（ＵＥ）の直流（ＤＣ）ロケーションのシグナリングに関するワイヤレスシステムおよび方法が提供される。ワイヤレス通信デバイスは、キャリアアグリゲーション（ＣＡ）構成または帯域幅部分（ＢＷＰ）構成のうちの少なくとも１つを基地局から受信する。ワイヤレス通信デバイスは、ＣＡ構成またはＢＷＰ構成のうちの少なくとも１つに基づく直流（ＤＣ）ロケーションを決定する。ワイヤレス通信デバイスは、決定されたＤＣロケーションに基づく報告を基地局に送信する。ワイヤレス通信デバイスは、報告に基づいて構成された位相追跡基準信号（ＰＴＲＳ）を基地局と通信する。【選択図】図１４
2021521680.tif 000002
【特許請求の範囲】
【請求項１】
ワイヤレス通信の方法であって、
ワイヤレス通信デバイスがキャリアアグリゲーション（ＣＡ）構成または帯域幅部分（ＢＷＰ）構成のうちの少なくとも１つを基地局から受信することと、
前記ワイヤレス通信デバイスが前記ＣＡ構成または前記ＢＷＰ構成のうちの少なくとも１つに基づく直流（ＤＣ）ロケーションを決定することと、
前記ワイヤレス通信デバイスが前記決定されたＤＣロケーションに基づく報告を前記基地局に送信することと
を備える、方法。
【請求項２】
前記決定することは、前記ＤＣロケーションを含むリソースブロック（ＲＢ）を決定することを含み、前記送信することは、前記決定されたＲＢに関連付けられた情報を含む前記報告を送信することを含む、請求項１に記載の方法。
【請求項３】
前記決定することは、前記ＤＣロケーションと重複する１つ以上のサブキャリアを決定することを含み、前記送信することは、前記決定された１つ以上のサブキャリアのサブキャリアオフセット情報を含む前記報告を送信することを含む、請求項１に記載の方法。
【請求項４】
前記ワイヤレス通信デバイスが、基準ＢＷＰのセットを含む構成を前記基地局から受信することをさらに備え、
前記決定することは、前記基準ＢＷＰのセットに基づく、請求項１に記載の方法。
【請求項５】
前記ワイヤレス通信デバイスが前記基地局と、前記報告に基づいて構成された位相追跡基準信号（ＰＴＲＳ）を通信することをさらに備える、請求項１に記載の方法。
【請求項６】
前記ワイヤレス通信デバイスが前記報告に応答して、前記ＰＴＲＳを通信するためのリソース要素（ＲＥ）マッピングを前記基地局から受信することをさらに備える、請求項５に記載の方法。
【請求項７】
前記ワイヤレス通信デバイスが、前記ＰＴＲＳを通信するためのリソース要素（ＲＥ）マッピングを前記決定されたＤＣロケーションに基づいて決定することをさらに備え、
前記送信することは、前記決定されたＲＥマッピングを含む前記報告を送信することを含む、請求項５に記載の方法。
【請求項８】
前記ＤＣロケーションは前記ワイヤレス通信デバイスの送信機に関連付けられ、前記通信することは、
前記ワイヤレス通信デバイスが前記ＰＴＲＳを前記基地局に送信することを含む、請求項５に記載の方法。
【請求項９】
前記ＤＣロケーションは前記ワイヤレス通信デバイスの受信機に関連付けられ、前記通信することは、
前記ワイヤレス通信デバイスが前記ＰＴＲＳを前記基地局から受信することを含む、請求項５に記載の方法。
【請求項１０】
ワイヤレス通信の方法であって、
基地局がキャリアアグリゲーション（ＣＡ）構成または帯域幅部分（ＢＷＰ）構成のうちの少なくとも１つをワイヤレス通信デバイスに送信することと、
前記基地局が、前記ＣＡ構成または前記ＢＷＰ構成のうちの少なくとも１つに応答して、前記ワイヤレス通信デバイスに関連付けられた直流（ＤＣ）ロケーション情報を示す報告を前記ワイヤレス通信デバイスから受信することと
を備える、方法。
【請求項１１】
前記受信することは、前記ワイヤレス通信デバイスのＤＣロケーションを含むリソースブロック（ＲＢ）のロケーションを含む前記報告を受信することを含む、請求項１０に記載の方法。
【請求項１２】
前記受信することは、前記ワイヤレス通信デバイスのＤＣロケーションと重複する１つ以上のサブキャリアのサブキャリアオフセット情報を含む前記報告を受信することを含む、請求項１０に記載の方法。
【請求項１３】
前記基地局が、基準ＢＷＰのセットを含む構成を前記ワイヤレス通信デバイスに送信することをさらに備え、
前記受信することは、前記基準ＢＷＰのセットに関連付けられた前記ＤＣロケーション情報を含む前記報告を受信することを含む、請求項１０に記載の方法。
【請求項１４】
前記基地局が、前記報告中の前記ＤＣロケーション情報に基づく位相追跡基準信号（ＰＴＲＳ）を前記ワイヤレス通信デバイスと通信することをさらに備える、請求項１０に記載の方法。
【請求項１５】
前記基地局が、前記ＰＴＲＳを通信するためのリソース要素（ＲＥ）マッピングを前記報告に基づいて決定することと、
前記基地局が、前記ＰＴＲＳを通信するための前記決定されたＲＥマッピングを前記ワイヤレス通信デバイスに送信することと
をさらに備える、請求項１４に記載の方法。
【請求項１６】
前記受信することは、前記ＰＴＲＳを通信するためのリソース要素（ＲＥ）マッピングを含む前記報告を受信することを含む、請求項１４に記載の方法。
【請求項１７】
前記ＤＣロケーション情報は前記ワイヤレス通信デバイスの送信機に関連付けられ、前記通信することは、
前記基地局が前記ＰＴＲＳを前記ワイヤレス通信デバイスから受信することを含む、請求項１４に記載の方法。
【請求項１８】
前記ＤＣロケーション情報は前記ワイヤレス通信デバイスの受信機に関連付けられ、前記通信することは、
前記基地局が前記ＰＴＲＳを前記ワイヤレス通信デバイスに送信することを含む、請求項１４に記載の方法。
【請求項１９】
装置であって、
キャリアアグリゲーション（ＣＡ）構成または帯域幅部分（ＢＷＰ）構成のうちの少なくとも１つに基づく直流（ＤＣ）ロケーションを決定するように構成されたプロセッサと、
前記ＣＡ構成または前記ＢＷＰ構成のうちの前記少なくとも１つを基地局から受信することと、
前記決定されたＤＣロケーションに基づく報告を前記基地局に送信することと
をするように構成されたトランシーバと
を備える、装置。
【請求項２０】
前記プロセッサは、前記ＤＣロケーションを含むリソースブロック（ＲＢ）を決定することによって、前記ＤＣロケーションを決定するようにさらに構成され、前記報告は前記決定されたＲＢに関連付けられた情報を含む、請求項１９に記載の装置。
【請求項２１】
前記プロセッサは、前記ＤＣロケーションと重複する１つ以上のサブキャリアを決定することによって、前記ＤＣロケーションを決定するようにさらに構成され、前記報告は前記決定された１つ以上のサブキャリアのサブキャリアオフセット情報を含む、請求項１９に記載の装置。
【請求項２２】
前記トランシーバは、
基準ＢＷＰのセットを含む構成を前記基地局から受信するようにさらに構成され、
前記ＤＣロケーションは前記基準ＢＷＰのセットに基づいて決定される、請求項１９に記載の装置。
【請求項２３】
前記トランシーバは、
前記報告に基づいて構成された位相追跡基準信号（ＰＴＲＳ）を前記基地局と通信するようにさらに構成される、請求項１９に記載の装置。
【請求項２４】
前記トランシーバは、
前記報告に応答して、前記ＰＴＲＳを通信するためのリソース要素（ＲＥ）マッピングを前記基地局から受信するようにさらに構成される、請求項２３に記載の装置。
【請求項２５】
前記プロセッサは、
前記ＰＴＲＳを通信するためのリソース要素（ＲＥ）マッピングを前記決定されたＤＣロケーションに基づいて決定するようにさらに構成され、
前記報告は前記決定されたＲＥマッピングを含む、  請求項２３に記載の装置。
【請求項２６】
前記ＤＣロケーションは前記トランシーバの送信機部分に関連付けられ、前記トランシーバは、
前記ＰＴＲＳを前記基地局に送信することによって前記ＰＴＲＳを通信するようにさらに構成される、請求項２３に記載の装置。
【請求項２７】
前記ＤＣロケーションは前記トランシーバの受信機部分に関連付けられ、前記トランシーバは、
前記ＰＴＲＳを前記基地局から受信することによって前記ＰＴＲＳを通信するようにさらに構成される、請求項２３に記載の装置。
【請求項２８】
装置であって、
キャリアアグリゲーション（ＣＡ）構成または帯域幅部分（ＢＷＰ）構成のうちの少なくとも１つをワイヤレス通信デバイスに送信することと、
前記ＣＡ構成または前記ＢＷＰ構成のうちの少なくとも１つに応答して、前記ワイヤレス通信デバイスに関連付けられた直流（ＤＣ）ロケーション情報を示す報告を前記ワイヤレス通信デバイスから受信することと
をするように構成されたトランシーバ
を備える、装置。
【請求項２９】
前記受信された報告は、前記ワイヤレス通信デバイスのＤＣロケーションを含むリソースブロック（ＲＢ）のロケーションを含む、請求項２８に記載の装置。
【請求項３０】
前記受信された報告は、前記ワイヤレス通信デバイスのＤＣロケーションと重複する１つ以上のサブキャリアのサブキャリアオフセット情報を含む、請求項２８に記載の装置。
【請求項３１】
前記トランシーバは、
基準ＢＷＰのセットを含む構成を前記ワイヤレス通信デバイスに送信するようにさらに構成され、前記ＤＣロケーション情報は前記基準ＢＷＰのセットに関連付けられる、請求項２８に記載の装置。
【請求項３２】
前記トランシーバは、
前記報告中の前記ＤＣロケーション情報に基づく位相追跡基準信号（ＰＴＲＳ）を前記ワイヤレス通信デバイスと通信するようにさらに構成される、請求項２８に記載の装置。
【請求項３３】
前記ＰＴＲＳを通信するためのリソース要素（ＲＥ）マッピングを前記報告に基づいて決定するように構成されたプロセッサをさらに備え、
前記トランシーバは、前記ＰＴＲＳを通信するための前記決定されたＲＥマッピングを前記ワイヤレス通信デバイスに送信するようにさらに構成される、請求項３２に記載の装置。
【請求項３４】
前記受信された報告は、前記ＰＴＲＳを通信するためのリソース要素（ＲＥ）マッピングを含む、請求項３２に記載の装置。
【請求項３５】
前記ＤＣロケーション情報は前記ワイヤレス通信デバイスの送信機に関連付けられ、前記トランシーバは、
前記ＰＴＲＳを前記ワイヤレス通信デバイスから受信することによって、前記ＰＴＲＳを通信するようにさらに構成される、請求項３２に記載の装置。
【請求項３６】
前記ＤＣロケーション情報は前記ワイヤレス通信デバイスの受信機に関連付けられ、前記トランシーバは、
前記ＰＴＲＳを前記ワイヤレス通信デバイスに送信することによって、前記ＰＴＲＳを通信するようにさらに構成される、請求項３２に記載の装置。
【請求項３７】
プログラムコードが記録されたコンピュータ可読媒体であって、前記プログラムコードは、
キャリアアグリゲーション（ＣＡ）構成または帯域幅部分（ＢＷＰ）構成のうちの少なくとも１つを基地局から受信することをワイヤレス通信デバイスにさせるためのコードと、
前記ＣＡ構成または前記ＢＷＰ構成のうちの少なくとも１つに基づく直流（ＤＣ）ロケーションを決定することを前記ワイヤレス通信デバイスにさせるためのコードと、
前記決定されたＤＣロケーションに基づく報告を前記基地局に送信することを前記ワイヤレス通信デバイスにさせるためのコードと
を備える、コンピュータ可読媒体。
【請求項３８】
前記ＤＣロケーションを決定することを前記ワイヤレス通信デバイスにさせるための前記コードは、前記ＤＣロケーションを含むリソースブロック（ＲＢ）を決定するようにさらに構成され、前記報告を送信することを前記ワイヤレス通信デバイスにさせるための前記コードは、前記決定されたＲＢに関連付けられた情報を含む前記報告を送信するようにさらに構成される、請求項３７に記載のコンピュータ可読媒体。
【請求項３９】
前記ＤＣロケーションを決定することを前記ワイヤレス通信デバイスにさせるための前記コードは、前記ＤＣロケーションと重複する１つ以上のサブキャリアを決定するようにさらに構成され、前記報告を送信することを前記ワイヤレス通信デバイスにさせるための前記コードは、前記決定された１つ以上のサブキャリアのサブキャリアオフセット情報を含む前記報告を送信するようにさらに構成される、請求項３７に記載のコンピュータ可読媒体。
【請求項４０】
前記報告に基づいて構成された位相追跡基準信号（ＰＴＲＳ）を前記基地局と通信することを前記ワイヤレス通信デバイスにさせるためのコードをさらに備える、請求項３７に記載のコンピュータ可読媒体。
【請求項４１】
前記報告に応答して、前記ＰＴＲＳを通信するためのリソース要素（ＲＥ）マッピングを前記基地局から受信することを前記ワイヤレス通信デバイスにさせるためのコードをさらに備える、請求項４０に記載のコンピュータ可読媒体。
【請求項４２】
前記ＰＴＲＳを通信するためのリソース要素（ＲＥ）マッピングを前記決定されたＤＣロケーションに基づいて決定することを前記ワイヤレス通信デバイスにさせるためのコードをさらに備え、
前記報告を送信することを前記ワイヤレス通信デバイスにさせるための前記コードは、前記決定されたＲＥマッピングを含む前記報告を送信するようにさらに構成される、請求項４０に記載のコンピュータ可読媒体。
【請求項４３】
基準ＢＷＰのセットを含む構成を前記基地局から受信することを前記ワイヤレス通信デバイスにさせるためのコードをさらに備え、
前記ＤＣロケーションは前記基準ＢＷＰのセットに基づいて決定される、請求項４０に記載のコンピュータ可読媒体。
【請求項４４】
前記ＤＣロケーションは前記ワイヤレス通信デバイスの送信機に関連付けられ、前記ＰＴＲＳを通信することを前記ワイヤレス通信デバイスにさせるための前記コードは、
前記ＰＴＲＳを前記基地局に送信するようにさらに構成される、請求項４０に記載のコンピュータ可読媒体。
【請求項４５】
前記ＤＣロケーションは前記ワイヤレス通信デバイスの受信機に関連付けられ、前記ＰＴＲＳを通信することを前記ワイヤレス通信デバイスにさせるための前記コードは、
前記ＰＴＲＳを前記基地局から受信するようにさらに構成される、請求項４０に記載のコンピュータ可読媒体。
【請求項４６】
プログラムコードが記録されたコンピュータ可読媒体であって、前記プログラムコードは、
キャリアアグリゲーション（ＣＡ）構成または帯域幅部分（ＢＷＰ）構成のうちの少なくとも１つを基地局に送信することをワイヤレス通信デバイスにさせるためのコードと、
前記ＣＡ構成または前記ＢＷＰ構成のうちの少なくとも１つに応答して、前記ワイヤレス通信デバイスに関連付けられた直流（ＤＣ）ロケーション情報を示す報告を前記ワイヤレス通信デバイスから受信することを前記基地局にさせるためのコードと
を備える、コンピュータ可読媒体。
【請求項４７】
前記受信された報告は、前記ワイヤレス通信デバイスのＤＣロケーションを含むリソースブロック（ＲＢ）のロケーションを含む、請求項４６に記載のコンピュータ可読媒体。
【請求項４８】
前記受信された報告は、前記ワイヤレス通信デバイスのＤＣロケーションと重複する１つ以上のサブキャリアのサブキャリアオフセット情報を含む、請求項４６に記載のコンピュータ可読媒体。
【請求項４９】
基準ＢＷＰのセットを含む構成を前記ワイヤレス通信デバイスに送信することを前記基地局にさせるためのコードをさらに備え、
前記ＤＣロケーション情報は前記基準ＢＷＰのセットに関連付けられる、請求項４６に記載のコンピュータ可読媒体。
【請求項５０】
前記報告中の前記ＤＣロケーション情報に基づく位相追跡基準信号（ＰＴＲＳ）を前記ワイヤレス通信デバイスと通信することを前記基地局にさせるためのコードをさらに備える、請求項４６に記載のコンピュータ可読媒体。
【請求項５１】
前記ＰＴＲＳを通信するためのリソース要素（ＲＥ）マッピングを前記報告に基づいて決定することを前記基地局にさせるためのコードと、
前記ＰＴＲＳを通信するための前記決定されたＲＥマッピングを前記ワイヤレス通信デバイスに送信することを前記基地局にさせるためのコードと
をさらに備える、請求項５０に記載のコンピュータ可読媒体。
【請求項５２】
前記受信された報告は、前記ＰＴＲＳを通信するためのリソース要素（ＲＥ）マッピングを含む、請求項５０に記載のコンピュータ可読媒体。
【請求項５３】
前記ＤＣロケーション情報は前記ワイヤレス通信デバイスの送信機に関連付けられ、前記ＰＴＲＳを通信することを前記基地局にさせるための前記コードは、
前記ＰＴＲＳを前記ワイヤレス通信デバイスから受信するようにさらに構成される、請求項５０に記載のコンピュータ可読媒体。
【請求項５４】
前記ＤＣロケーション情報は前記ワイヤレス通信デバイスの受信機に関連付けられ、前記ＰＴＲＳを通信することを前記基地局にさせるための前記コードは、
前記ＰＴＲＳを前記ワイヤレス通信デバイスに送信するようにさらに構成される、請求項５０に記載のコンピュータ可読媒体。
【請求項５５】
装置であって、
キャリアアグリゲーション（ＣＡ）構成または帯域幅部分（ＢＷＰ）構成のうちの少なくとも１つを基地局から受信するための手段と、
前記ＣＡ構成または前記ＢＷＰ構成のうちの少なくとも１つに基づく直流（ＤＣ）ロケーションを決定するための手段と、
前記決定されたＤＣロケーションに基づく報告を前記基地局に送信するための手段と
を備える、装置。
【請求項５６】
前記ＤＣロケーションを前記決定するための手段は、前記ＤＣロケーションを含むリソースブロック（ＲＢ）を決定するようにさらに構成され、前記報告を前記送信するための手段は、前記決定されたＲＢに関連付けられた情報を含む前記報告を送信するようにさらに構成される、請求項５５に記載の装置。
【請求項５７】
前記ＤＣロケーションを前記決定するための手段は、前記ＤＣロケーションと重複する１つ以上のサブキャリアを決定するようにさらに構成され、前記報告を前記送信するための手段は、前記決定された１つ以上のサブキャリアのサブキャリアオフセット情報を含む前記報告を送信するようにさらに構成される、請求項５５に記載の装置。
【請求項５８】
基準ＢＷＰのセットを含む構成を前記基地局から受信するための手段をさらに備え、
前記ＤＣロケーションは前記基準ＢＷＰのセットに基づいて決定される、請求項５５に記載の装置。
【請求項５９】
前記報告に基づいて構成された位相追跡基準信号（ＰＴＲＳ）を前記基地局と通信するための手段をさらに備える、請求項５５に記載の装置。
【請求項６０】
前記報告に応答して、前記ＰＴＲＳを通信するためのリソース要素（ＲＥ）マッピングを前記基地局から受信するための手段をさらに備える、請求項５９に記載の装置。
【請求項６１】
前記ＰＴＲＳを通信するためのリソース要素（ＲＥ）マッピングを前記決定されたＤＣロケーションに基づいて決定するための手段をさらに備え、
前記報告を前記送信するための手段は、前記決定されたＲＥマッピングを含む前記報告を送信するようにさらに構成される、請求項５９に記載の装置。
【請求項６２】
前記ＤＣロケーションは前記装置の送信機に関連付けられ、前記ＰＴＲＳを前記通信するための手段は、
前記ＰＴＲＳを前記基地局に送信するようにさらに構成される、請求項５９に記載の装置。
【請求項６３】
前記ＤＣロケーションは前記装置の受信機に関連付けられ、前記ＰＴＲＳを前記通信するための手段は、
前記ＰＴＲＳを前記基地局から受信するようにさらに構成される、請求項５９に記載の装置。
【請求項６４】
装置であって、
キャリアアグリゲーション（ＣＡ）構成または帯域幅部分（ＢＷＰ）構成のうちの少なくとも１つをワイヤレス通信デバイスに送信するための手段と、
前記ＣＡ構成または前記ＢＷＰ構成のうちの少なくとも１つに応答して、前記ワイヤレス通信デバイスに関連付けられた直流（ＤＣ）ロケーション情報を示す報告を前記ワイヤレス通信デバイスから受信するための手段と
を備える、装置。
【請求項６５】
前記受信された報告は、前記ワイヤレス通信デバイスのＤＣロケーションを含むリソースブロック（ＲＢ）のロケーションを含む、請求項６４に記載の装置。
【請求項６６】
前記受信された報告は、前記ワイヤレス通信デバイスのＤＣロケーションと重複する１つ以上のサブキャリアのサブキャリアオフセット情報を含む、請求項６４に記載の装置。
【請求項６７】
基準ＢＷＰのセットを含む構成を前記ワイヤレス通信デバイスに送信するための手段をさらに備え、
前記ＤＣロケーション情報は前記基準ＢＷＰのセットに関連付けられる、請求項６４に記載の装置。
【請求項６８】
前記報告中の前記ＤＣロケーション情報に基づく位相追跡基準信号（ＰＴＲＳ）を前記ワイヤレス通信デバイスと通信するための手段をさらに備える、請求項６４に記載の装置。
【請求項６９】
前記ＰＴＲＳを通信するためのリソース要素（ＲＥ）マッピングを前記報告に基づいて決定するための手段と、
前記ＰＴＲＳを通信するための前記決定されたＲＥマッピングを前記ワイヤレス通信デバイスに送信するための手段と
をさらに備える、請求項６８に記載の装置。
【請求項７０】
前記受信された報告は、前記ＰＴＲＳを通信するためのリソース要素（ＲＥ）マッピングを含む、請求項６８に記載の装置。
【請求項７１】
前記ＤＣロケーション情報は前記ワイヤレス通信デバイスの送信機に関連付けられ、前記ＰＴＲＳを通信するための前記手段は、
前記ＰＴＲＳを前記ワイヤレス通信デバイスから受信するようにさらに構成される、請求項６８に記載の装置。
【請求項７２】
前記ＤＣロケーション情報は前記ワイヤレス通信デバイスの受信機に関連付けられ、前記ＰＴＲＳを通信するための前記手段は、
前記ＰＴＲＳを前記ワイヤレス通信デバイスに送信するようにさらに構成される、請求項６８に記載の装置。
【発明の詳細な説明】
【関連出願の相互参照】
【０００１】
[0001]  本願は、２０１９年４月８日に出願された米国非仮特許出願第１６／３７８，４０１号、２０１８年６月４日に出願された米国仮特許出願第６２／６８０，２２５号、２０１８年４月１９日に出願された米国仮特許出願第６２／６６０，１６４号、および２０１８年４月１０日に出願された米国仮特許出願第６２／６５５，７９７号の優先権および利益を主張し、それらの各々は、以下に十分に明記するかのようにおよび全ての適用可能な目的のためにその全体が参照によって本明細書に組み込まれる。
【技術分野】
【０００２】
[0002]  本願は、ワイヤレス通信システムに関し、より具体的には、新無線（ＮＲ：new radio）ネットワーク中のユーザ機器デバイス（ＵＥ）の直流（ＤＣ）ロケーションのシグナリングに関する。ある特定の実施形態は、ＵＥがＤＣロケーションを効率的に報告するための解決策および技法を可能にして提供し、基準信号（例えば、位相追跡基準信号（ＰＴＲＳ：phase tracking reference signals））通信を改善するようにできる。
【背景技術】
【０００３】
[0003]  ワイヤレス通信システムが、音声、ビデオ、パケットデータ、メッセージング、ブロードキャスト、等のような様々なタイプの通信コンテンツを提供するために幅広く展開されている。これらシステムは、利用可能なシステムリソース（例えば、時間、周波数、および電力）を共有することによって複数のユーザとの通信をサポートすることが可能であり得る。ワイヤレス多元接続通信システムは、いくつかの基地局（ＢＳ）を含み得、各々が、別名ユーザ機器（ＵＥ）として知られ得る複数の通信デバイスのための通信を同時にサポートする。
【０００４】
[0004]  拡張モバイルブロードバンド接続性に対する高まる需要を満たすために、ワイヤレス通信技術は、ＬＴＥ（登録商標）技術から次世代新無線（ＮＲ）技術に進歩している。例えば、ＮＲは、ＬＴＥよりも低いレイテンシ、より高い帯域幅またはスループット、およびより高い信頼性を提供するように設計される。ＮＲは、例えば、約１ギガヘルツ（ＧＨｚ）未満の低周波数帯域および約１ＧＨｚから約６ＧＨｚまでの中間周波数帯域から、ミリメートル波（ｍｍＷａｖｅ）帯域などの高周波数帯域までのスペクトル帯域の広いアレイにわたって動作するように設計される。加えて、ＮＲは、ライセンススペクトルからアンライセンスおよび共有スペクトルまで、異なるスペクトルタイプにわたって動作するように設計される。
【０００５】
[0005]  より高い周波数（例えば、６ＧＨｚを上回る）の使用は、より大きい送信容量を提供できるが、位相雑音レベルは、より高い周波数と共に増大し得る。位相雑音は、ある特定のワイヤレス通信システムの性能に影響を与える可能性がある。それ故に、送信機は、受信機における位相雑音推定および補正を容易にするために、位相追跡基準信号（ＰＴＲＳ）などの基準信号を送信し得る。
【０００６】
[0006]  しかしながら、無線周波数（ＲＦ）リソース内の基準信号のロケーションに応じて、受信機は、リソース内のトーンとの干渉に起因して、基準信号を効率的に受信できないことがある。例えば、直流（ＤＣ）周波数トーンは、ベースバンド受信機の性能に大きな悪影響を及ぼす可能性がある。ＤＣ周波数トーンは、信号処理のための高い干渉および／または高い雑音、および／または受信機におけるより悪いエラーベクトル振幅（ＥＶＭ：error vector magnitude）を引き起こす可能性がある。いくつかの受信機は、ＤＣによって影響されるトーンを無視するために、ＤＣ拒否フィルタリングまたはパンクチャリングを適用し得る。そのため、受信機が基準信号を効率的に受信することを可能にするために、送信機は、受信機のＤＣトーンロケーションと重複する周波数リソースを使用して基準信号を送信することを回避し得る。
【０００７】
[0007]  ある特定のワイヤレス通信デバイスまたはユーザ機器デバイス（ＵＥ）において、ＤＣ周波数ロケーションは、受信機の実現形態に依存し得る。例えば、ＮＲネットワークでは、ＢＳが、様々なコンポーネントキャリア（ＣＣ）内の様々な帯域幅部分（ＢＷＰ：bandwidth parts）における通信のためにＵＥを構成し得る。異なるＵＥは、異なる無線周波数（ＲＦ）受信機実現形態を有し得る。例えば、いくつかのＵＥは、全てのＣＣおよび／または全てのＢＷＰのために単一のＲＦおよび／またはベースバンドチェーンを使用し得るが、他のＵＥは、異なるＣＣおよび／または異なるＢＷＰのために異なるＲＦおよび／またはベースバンドチェーンを使用し得る。このことから、ＤＣトーンロケーションは、使用中のＲＦフロントエンド構成に応じて、異なるＵＥ間で、並びに同じＵＥ内で変化し得る。それ故に、ネットワークは、ＵＥのＤＣトーンロケーションに従って基準信号構成を決定し得る。
【発明の概要】
【０００８】
[0008]  以下は、論じられる技術の基本的な理解を提供するために、本開示のいくつかの態様を要約するものである。本概要は、本開示の全ての企図される特徴の広範な概観でなく、本開示の全ての態様の主要なまたは重要な要素を識別することも、本開示の任意または全ての態様の範囲を線引きすることも意図しない。その唯一の目的は、後に提示されるより詳細な説明の前置きとして、本開示の１つ以上の態様のいくつかの概念を要約形式で提示することである。
【０００９】
[0009]  本開示の実施形態は、直流（ＤＣ）ロケーションの効率的な報告のためのメカニズムを提供する。例えば、ユーザ機器（ＵＥ：user equipment）は、基地局（ＢＳ：base station）から受信されたキャリアアグリゲーション（ＣＡ：carrier aggregation）再構成コマンド、帯域幅部分（ＢＷＰ：bandwidth part）切り替えコマンド、および／またはＢＷＰ再構成コマンドのような、ある特定のイベントに基づいて、ＵＥの受信機および／またはＵＥの送信機に関連するＤＣロケーション情報を報告し得る。ＵＥは、ＢＷＰ毎およびコンポーネントキャリア（ＣＣ：component carrier）毎にＤＣロケーションを報告し得る。ＢＳは、ＤＣロケーション情報の量を低減するために、ＤＣロケーション報告のための基準ＢＷＰのセットを用いるＵＥを構成し得る。ＢＳは、ＤＣロケーション報告に基づいた、ＵＬおよび／またはＤＬ基準信号（例えば、ＰＴＲＳ）通信のためのリソースマッピングを用いるＵＥを構成し得る。代替として、ＵＥは、ＵＥの送信機および／または受信機ＤＣロケーションに基づいた、基準信号（例えば、ＰＴＲＳ）通信のためのある特定のリソースマッピングを使用するようにＢＳに要求し得る。
【００１０】
[0010]  例えば、本開示のある態様では、ワイヤレス通信デバイスがキャリアアグリゲーション（ＣＡ）構成または帯域幅部分（ＢＷＰ）構成のうちの少なくとも１つを基地局から受信することを含む、ワイヤレス通信の方法が提供される。方法はまた、ワイヤレス通信デバイスが、ＣＡ構成またはＢＷＰ構成のうちの少なくとも１つに基づく直流（ＤＣ）ロケーションを決定することを含む。方法はまた、決定されたＤＣロケーションに基づく報告をワイヤレス通信デバイスによって基地局に送信することを含む。
【００１１】
[0011]  本開示の追加の態様では、基地局がキャリアアグリゲーション（ＣＡ）構成または帯域幅部分（ＢＷＰ）構成のうちの少なくとも１つをワイヤレス通信デバイスに送信することを含む、ワイヤレス通信の方法が提供される。方法はまた、基地局が、ＣＡ構成またはＢＷＰ構成のうちの少なくとも１つに応答して、ワイヤレス通信デバイスに関連付けられた直流（ＤＣ）ロケーション情報を示す報告をワイヤレス通信デバイスから受信することを含む。
【００１２】
[0012]  本開示の追加の態様では、キャリアアグリゲーション（ＣＡ）構成または帯域幅部分（ＢＷＰ）構成のうちの少なくとも１つに基づく直流（ＤＣ）ロケーションを決定するように構成されたプロセッサを含む装置が提供される。装置はまた、ＣＡ構成またはＢＷＰ構成のうちの少なくとも１つを基地局から受信するように構成されたトランシーバを含む。トランシーバはまた、決定されたＤＣロケーションに基づく報告を基地局に送信するように構成される。
【００１３】
[0013]  本開示の追加の態様では、キャリアアグリゲーション（ＣＡ）構成または帯域幅部分（ＢＷＰ）構成のうちの少なくとも１つをワイヤレス通信デバイスに送信するように構成されたトランシーバを含む装置が提供される。トランシーバはまた、ＣＡ構成またはＢＷＰ構成のうちの少なくとも１つに応答して、ワイヤレス通信デバイスに関連付けられた直流（ＤＣ）ロケーション情報を示す報告をワイヤレス通信デバイスから受信するように構成される。
【００１４】
[0014]  本開示の追加の態様では、プログラムコードが記録されたコンピュータ可読媒体が提供される。プログラムコードは、キャリアアグリゲーション（ＣＡ）構成または帯域幅部分（ＢＷＰ）構成のうちの少なくとも１つを基地局から受信することをワイヤレス通信デバイスにさせるためのコードを含む。プログラムコードはまた、ＣＡ構成またはＢＷＰ構成のうちの少なくとも１つに基づく直流（ＤＣ）ロケーションを決定することをワイヤレス通信デバイスにさせるためのコードを含む。プログラムコードはまた、決定されたＤＣロケーションに基づく報告を基地局に送信することをワイヤレス通信デバイスにさせるためのコードを含む。
【００１５】
[0015]  本開示の追加の態様では、プログラムコードが記録されたコンピュータ可読媒体が提供される。プログラムコードは、キャリアアグリゲーション（ＣＡ）構成または帯域幅部分（ＢＷＰ）構成のうちの少なくとも１つを基地局に送信することをワイヤレス通信デバイスにさせるためのコードを含む。プログラムコードはまた、ＣＡ構成またはＢＷＰ構成のうちの少なくとも１つに応答して、ワイヤレス通信デバイスに関連付けられた直流（ＤＣ）ロケーション情報を示す報告をワイヤレス通信デバイスから受信することを基地局にさせるためのコードを含む。
【００１６】
[0016]  本開示の追加の態様では、キャリアアグリゲーション（ＣＡ）構成または帯域幅部分（ＢＷＰ）構成のうちの少なくとも１つを基地局から受信するための手段を含む装置が提供される。装置はまた、ＣＡ構成またはＢＷＰ構成のうちの少なくとも１つに基づく直流（ＤＣ）ロケーションを決定するための手段を含む。装置はまた、決定されたＤＣロケーションに基づく報告を基地局に送信するための手段を含む。
【００１７】
[0017]  本開示の追加の態様では、キャリアアグリゲーション（ＣＡ）構成または帯域幅部分（ＢＷＰ）構成のうちの少なくとも１つをワイヤレス通信デバイスに送信するための手段を含む装置が提供される。装置はまた、ＣＡ構成またはＢＷＰ構成のうちの少なくとも１つに応答して、ワイヤレス通信デバイスに関連付けられた直流（ＤＣ）ロケーション情報を示す報告をワイヤレス通信デバイスから受信するための手段を含む。
【００１８】
[0018]  本発明の他の態様、特徴、および実施形態は、添付の図面と併せて本発明の特定の例証的な実施形態の以下の説明を検討することで、当業者に明らかになるであろう。本発明の特徴は、以下のある特定の実施形態および図面に関連して論じられ得るが、本発明の全ての実施形態は、本明細書で論じられる有利な特徴のうちの１つ以上を含むことができる。言い換えれば、１つ以上の実施形態は、ある特定の有利な特徴を有するものとして論じられ得るが、そのような特徴のうちの１つ以上はまた、本明細書で論じられる本発明の様々な実施形態に従って使用され得る。同様に、例証的な実施形態は、デバイス、システム、または方法の実施形態として以下に論じられ得るが、そのような例証的な実施形態は、様々なデバイス、システム、および方法で実現され得ることが理解されるべきである。
【図面の簡単な説明】
【００１９】
【図１】本開示のいくつかの実施形態による、ワイヤレス通信ネットワークを例示する。
【図２】本開示のいくつかの実施形態による、異なる直流（ＤＣ）ロケーションを有するユーザ機器デバイス（ＵＥ）を伴う実例的なシナリオを例示する。
【図３】本開示のいくつかの実施形態による、実例的な帯域幅部分（ＢＷＰ）構成を例示する。
【図４】本開示のいくつかの実施形態による、実例的なＢＷＰ構成を例示する。
【図５】本開示のいくつかの実施形態による、例証的なユーザ機器（ＵＥ）のブロック図である。
【図６】本開示のいくつかの実施形態による、例証的な基地局（ＢＳ）のブロック図である。
【図７】本開示のいくつかの実施形態による、ＤＣロケーション報告方法を例示するシグナリング図である。
【図８】本開示のいくつかの実施形態による、ＤＣロケーション報告方法を例示するシグナリング図である。
【図９】本開示のいくつかの実施形態による、ＤＣロケーション報告方法を例示するシグナリング図である。
【図１０】本開示のいくつかの実施形態による、ＤＣロケーション報告方法を例示する。
【図１１】本開示のいくつかの実施形態による、ＤＣロケーション報告メッセージ要素を例示する。
【図１２】本開示のいくつかの実施形態による、位相追跡基準信号（ＰＴＲＳ）リソース要素レベル（ＲＥレベル：resource element-level）オフセット構成を例示する。
【図１３】本開示のいくつかの実施形態による、ＤＣロケーション報告メッセージ要素を例示する。
【図１４】本開示の実施形態による、ＤＣロケーション報告およびＰＴＲＳ通信方法のフロー図である。
【図１５】本開示のいくつかの実施形態による、ＰＴＲＳ通信方法のフロー図である。
【詳細な説明】
【００２０】
[0034]  添付された図面に関連して以下に記載される詳細な説明は、様々な構成の説明であることを意図し、本明細書で説明される概念が実践され得る唯一の構成を表すことを意図しない。詳細な説明は、様々な概念の完全な理解を提供することを目的として特定の詳細を含む。しかしながら、これら概念がこれら特定の詳細なしに実践され得ることが当業者にとって明らかであろう。いくつかの事例では、よく知られた構造およびコンポーネントが、そのような概念を曖昧にすることを避けるためにブロック図形式で示される。
【００２１】
[0035]  本開示は一般に、ワイヤレス通信ネットワークとも呼ばれるワイヤレス通信システムに関する。様々な実施形態において、技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ＬＴＥネットワーク、ＧＳＭ（登録商標）ネットワーク、第５世代（５Ｇ）または新無線（ＮＲ）ネットワーク、並びに他の通信ネットワークなどのワイヤレス通信ネットワークのために使用され得る。本明細書で説明される場合、「ネットワーク」および「システム」という用語は、同義で使用され得る。
【００２２】
[0036]  ＯＦＤＭＡネットワークは、発展型ＵＴＲＡ（Ｅ−ＵＴＲＡ）、米国電気電子学会（ＩＥＥＥ）８０２．１１、ＩＥＥＥ８０２．１６、ＩＥＥＥ８０２．２０、直交周波数分割多重化（ＯＦＤＭ）、および同様のものなどの無線技術を実現し得る。ＵＴＲＡ、Ｅ−ＵＴＲＡ、およびモバイル通信のためのグローバルシステム（ＧＳＭ）は、ユニバーサルモバイル電気通信システム（ＵＭＴＳ）の一部である。特に、ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ（登録商標））という名称の組織から提供される文書中に説明されており、ｃｄｍａ２０００は、「第３世代パートナーシッププロジェクト２」（３ＧＰＰ２）という名称の組織からの文書中に説明されている。これら様々な無線技術および規格は、既知であり、開発されている。例えば、第３世代パートナーシッププロジェクト（３ＧＰＰ）は、グローバルに適用可能な第３世代（３Ｇ）モバイル電話仕様を定義することを目的とする電気通信協会のグループ間のコラボレーションである。３ＧＰＰロングタームエボリューションＬＴＥは、ユニバーサルモバイル電気通信システム（ＵＭＴＳ）モバイル電話規格を改善することを目的とした３ＧＰＰプロジェクトである。３ＧＰＰは、次世代のモバイルネットワーク、モバイルシステム、およびモバイルデバイスのための仕様を定義し得る。本開示は、新しい異なる無線アクセス技術または無線エアインターフェースの集合を使用するネットワーク間のワイヤレススペクトルへの共有アクセスを伴う、ＬＴＥ、４Ｇ、５Ｇ、ＮＲ、およびそれ以降からのワイヤレス技術の発展に関する。
【００２３】
[0037]  特に、５Ｇネットワークは、ＯＦＤＭベースの統合されたエアインターフェースを使用して実現され得る、多様な展開、多様なスペクトル、並びに多様なサービスおよびデバイスを企図する。これら目標を達成するために、５Ｇ ＮＲネットワークのための新無線技術の開発に加えて、ＬＴＥおよびＬＴＥ−Ａに対する更なる拡張が考慮される。５Ｇ ＮＲは、（１）超高密度（例えば、約１Ｍノード／ｋｍ2）と、超低複雑性（例えば、約１０ビット／秒）と、超低エネルギー（例えば、約１０＋年のバッテリ寿命）と、困難なロケーションに到達する能力を有する深いカバレッジとを伴う大規模モノのインターネット（ＩｏＴ）にカバレッジ提供するようにスケーリングすることが可能となり、（２）機微な個人、金融、または機密情報、超高信頼性（例えば、約９９．９９９９％の信頼性）、超低レイテンシ（例えば、約１ｍｓ）、および広範囲の移動性またはその欠如を伴うユーザを保護するための強力なセキュリティを伴うミッションクリティカル制御を含み、（３）極端な大容量（例えば、約１０Ｔｂｐｓ／ｋｍ2）、極端なデータレート（例えば、マルチＧｂｐｓレート、１００＋Ｍｂｐｓユーザ経験レート）、並びに高度な発見および最適化を伴う深い認識を含む拡張モバイルブロードバンドを伴う。
【００２４】
[0038]  ５Ｇ ＮＲは、スケーラブルなヌメロロジ(numerology)および送信時間期間（ＴＴＩ：transmission time period）を有する最適化されたＯＦＤＭベースの波形を使用するように実現され得、動的な低レイテンシ時分割複信（ＴＤＤ）／周波数分割複信（ＦＤＤ）設計を用いてサービスおよび特徴を効率的に多重化するための共通の柔軟なフレームワークを有し、大規模多入力多出力（ＭＩＭＯ）、ロバストなミリメートル波（ｍｍＷａｖｅ）送信、高度なチャネルコーディング、およびデバイス中心モビリティなどの高度なワイヤレス技術を伴う。サブキャリア間隔のスケーリングを伴う５Ｇ ＮＲにおけるヌメロロジのスケーラビリティは、多様なスペクトルおよび多様な展開にわたって多様なサービスを稼働させることに効率的に対処し得る。例えば、３ＧＨｚ未満のＦＤＤ／ＴＤＤ実現形態の様々な屋外およびマクロカバレッジ展開では、サブキャリア間隔が、例えば、１、５、１０、２０ＭＨｚ、および同様のＢＷにわたって１５ｋＨｚで生じ得る。３ＧＨｚよりも大きいＴＤＤの他の様々な屋外およびスモールセルカバレッジ展開では、サブキャリア間隔が、８０／１００ＭＨｚ ＢＷにわたって３０ｋＨｚで生じ得る。５ＧＨｚ帯域のアンライセンス部分にわたってＴＤＤを使用する他の様々な屋内ワイドバンド実現形態の場合、サブキャリア間隔は、１６０ＭＨｚ ＢＷにわたって６０ｋＨｚで生じ得る。最後に、２８ＧＨｚのＴＤＤにおいてｍｍＷａｖｅコンポーネントを用いて送信する様々な展開では、サブキャリア間隔が、５００ＭＨｚ ＢＷにわたって１２０ｋＨｚで生じ得る。
【００２５】
[0039]  ５Ｇ ＮＲのスケーラブルヌメロロジは、多様なレイテンシおよびサービス品質（ＱｏＳ）要件のためのスケーラブルＴＴＩを容易にする。例えば、より短いＴＴＩは、低レイテンシおよび高信頼性のために使用され得、より長いＴＴＩは、より高いスペクトル効率のために使用され得る。送信がシンボル境界上で開始することを可能にするための、長いＴＴＩと短いＴＴＩとの効率的な多重化。５Ｇ ＮＲはまた、同じサブフレーム中にアップリンク／ダウンリンクスケジューリング情報、データ、および確認応答を有する自己完結型統合サブフレーム設計（self-contained integrated subframe design）を企図する。自己完結型統合サブフレームは、現在のトラフィックニーズを満たすためにアップリンクとダウンリンクとの間で動的に切り替わるようにセル毎に柔軟に構成され得る、アンライセンスまたは競合ベースの共有スペクトル、適応アップリンク／ダウンリンクにおける通信をサポートする。
【００２６】
[0040]  本開示の様々な他の態様および特徴がさらに、以下に説明される。本明細書での教示が、多種多様な形態で具現化され得ること、および本明細書で開示される任意の特定の構造、機能、またはその両方が、単に代表的なものに過ぎず、限定的なものでないことは明らかであるべきである。本明細書での教示に基づいて、当業者は、本明細書で開示される態様が任意の他の態様から独立して実現され得ること、およびこれら態様のうちの２つ以上が様々な方法で組み合わされ得ることを認識するべきである。例えば、本明細書で記載される任意の数の態様を使用して、装置が実現され得るか、または方法が実践され得る。加えて、本明細書で記載される態様のうちの１つ以上に加えて、またはそれ以外の、他の構造、機能、または構造および機能を使用して、そのような装置が実現され得るか、またはそのような方法が実践され得る。例えば、方法は、システム、デバイス、装置の一部として、および／またはプロセッサ若しくはコンピュータ上で実行するためのコンピュータ可読媒体上に記憶された命令として実現され得る。さらに、一態様は、請求項の少なくとも１つの要素を備え得る。
【００２７】
[0041]  ＮＲは、ＵＥおよびＢＳにおける位相追跡を容易にするために、位相追跡基準信号（ＰＴＲＳ：phase tracking reference signal）を提供し得る。例えば、ＢＳがＤＬ信号中にＰＴＲＳを含め、ＵＥが受信されたＤＬ信号中の位相誤差を追跡および補正することを可能にし得る。同様に、ＵＥがＵＬ信号中にＰＴＲＳを含め、ＢＳが受信されたＵＬ信号中の位相誤差を追跡および補正することを可能にし得る。いくつかの事例では、ＰＴＲＳが、ＤＬ信号および／またはＵＬ信号中に頻繁に存在し得る。例えば、ネットワークが、１つのサブキャリアを使用してシンボル毎にＤＬ信号またはＵＬ信号中でＰＴＲＳ送信を構成し得る。
【００２８】
[0042]  上述されたように、ＤＣ周波数トーンが、ＤＣロケーションにおいて高雑音を引き起こす可能性がある。ＤＣ拒否フィルタリングに起因してＰＴＲＳがフィルタ除去されること、またはＤＣトーンによって干渉されることを回避するために、ネットワークが、ＵＥのＤＣトーンに対応する１つ以上の周波数とは異なる周波数上でＰＴＲＳ送信をスケジューリングし得る。言い換えれば、ネットワークは、ＵＥの送信機および受信機のＤＣトーンロケーションに基づいてＰＴＲＳ送信のためのリソースを構成し得る。しかしながら、上述されたように、異なるＵＥが、ＵＥのＣＣ構成および／またはＢＷＰ構成に基づき得るＲＦ構成に応じて、異なるＤＣトーンロケーションを有し得る。ＵＥが、ＵＥの送信機および受信機の使用されるＤＣロケーションをＢＳに報告できるが、シグナリングは複雑であり得る。例えば、潜在的なＤＣロケーションの数は、ＢＷＰおよびＣＣを考慮すると大きい可能性があり、ここで、無線アクセスネットワーク（ＲＡＮ）が、特定の周波数帯域中で最大約８つのＣＣを構成し、各ＣＣ中で最大約４つの構成されたＢＷＰを構成し得る。このことから、ＵＥが、ＤＣロケーションの最大約４8個の組み合わせをネットワークにシグナリングすることを必要とされ得る。各ＤＣロケーションが１２ビットの情報要素フィールドを必要とすると仮定すると（値の範囲は０〜３２９９であるので）、４8個のＤＣロケーション報告は、少なくとも約８００キロビットのＵＬシグナリング空間を必要とし得る。さらに、ＵＥが、（例えば、ＣＡ／ＣＣ／ＢＷＰ構成コマンドを含む）受信された無線リソース制御（ＲＲＣ）メッセージを処理し、最悪のケースで、約１５ミリ秒（ｍｓ）以内に応答メッセージを送り返すことを必要とされ得る。全ての可能な組み合わせのためのＤＣロケーションの識別のために必要とされる計算能力は大きくあり得、このことから、ＲＲＣ処理時間要件を満たすことが困難であり得る。
【００２９】
[0043]  本願は、ＵＥがＢＳにＤＣロケーション情報を効率的にシグナリングするためのメカニズムについて説明する。ＤＣロケーション情報の報告は、ＢＳから受信されたキャリアアグリゲーション（ＣＡ）再構成コマンド、帯域幅部分（ＢＷＰ）切り替えコマンド、および／またはＢＷＰ再構成コマンドなどのイベントによってトリガリングされ得る。ＵＥは、ＣＡ構成および／またはＢＷＰ構成を考慮することによって、ＤＣロケーションを決定し得る。シグナリングのために必要とされる情報ビットの量を低減するために、ＢＳは、ＤＣロケーション報告のための基準ＢＷＰのセットをＵＥに提供し得る。ＵＥは、基準ＢＷＰのセットのためのＤＣロケーションを決定し、基準ＢＷＰのための対応するＤＣロケーションを報告し得る。ＤＣロケーションは、（例えば、ＵＬ送信のための）ＵＥの送信機の１つ以上のＤＣロケーションと、（例えば、ダウンリンク受信のための）ＵＥの受信機の１つ以上のＤＣロケーションとを含み得る。
【００３０】
[0044]  ある実施形態において、ＵＥは、構成された帯域またはＢＷＰに応じた(as a function of )ＤＣロケーションを含む帯域報告を含み得る。ある実施形態において、ＵＥは、リソースブロック（ＲＢ：resource block）のロケーションおよび／またはＤＣロケーションと重複するＲＢ内のサブキャリアのサブキャリアオフセットを報告し得る。ある実施形態において、ＵＥは、決定されたＤＣロケーションについてのＰＴＲＳ−リソース要素（ＲＥ：resource element）−ｏｆｆｓｅｔパラメータを選択し、ＢＳにＰＴＲＳ−ＲＥ−ｏｆｆｓｅｔパラメータを報告し得る。ＢＳは、報告されたサブキャリアオフセット、報告されたＲＢ、および／または報告されたＰＴＲＳ−ＲＥ−ｏｆｆｓｅｔパラメータに従ってＰＴＲＳを構成し得る。
【００３１】
[0045]  図１は、本開示のいくつかの実施形態による、ワイヤレス通信ネットワーク１００を例示する。ネットワーク１００は、５Ｇネットワークであり得る。ネットワーク１００は、いくつかの基地局（ＢＳ）１０５および他のネットワークエンティティを含む。ＢＳ１０５が、ＵＥ１１５と通信する局であり得、発展型ノードＢ（ｅＮＢ）、次世代ｅＮＢ（ｇＮＢ）、アクセスポイント、および同様の名称でも呼ばれ得る。各ＢＳ１０５は、特定の地理的エリアに対して通信カバレッジを提供し得る。３ＧＰＰにおいて、「セル」という用語は、その用語が使用されるコンテキストに応じて、ＢＳ１０５のこの特定の地理的カバレッジエリアおよび／またはそのカバレッジエリアにサービングするＢＳサブシステムを指すことができる。
【００３２】
[0046]  ＢＳ１０５が、マクロセル、またはピコセル若しくはフェムトセルなどのスモールセル、および／または他のタイプのセルに対して通信カバレッジを提供し得る。マクロセルが一般に、比較的大きい地理的エリア（例えば、半径数キロメートル）をカバーし、ネットワークプロバイダのサービスに加入しているＵＥによる無制限のアクセスを可能にし得る。ピコセルなどのスモールセルが一般に、比較的より小さい地理的エリアをカバーし、ネットワークプロバイダのサービスに加入しているＵＥによる無制限のアクセスを可能にし得る。フェムトセルなどのスモールセルもまた一般に、比較的小さい地理的エリア（例えば、自宅）をカバーし、無制限のアクセスに加えて、フェムトセルとのアソシエーションを有するＵＥ（例えば、クローズド加入者グループ（ＣＳＧ：closed subscriber group）中のＵＥ、自宅内のユーザ用のＵＥ、および同様のもの）による制限されたアクセスも提供し得る。マクロセルのためのＢＳが、マクロＢＳと呼ばれ得る。スモールセルのためのＢＳが、スモールセルＢＳ、ピコＢＳ、フェムトＢＳ、またはホームＢＳと呼ばれ得る。図１に示される例において、ＢＳ１０５ｄおよび１０５ｅは、通常のマクロＢＳであり得、ＢＳ１０５ａ〜１０５ｃは、３次元（３Ｄ）、全次元（ＦＤ）、または大規模ＭＩＭＯのうちの１つを用いて有効化されたマクロＢＳであり得る。ＢＳ１０５ａ〜１０５ｃは、カバレッジおよび容量を増大させるために仰角ビームフォーミングと方位角ビームフォーミングとの両方において３Ｄビームフォーミングを活用するために、それら高次元ＭＩＭＯ能力を利用し得る。ＢＳ１０５ｆは、ホームノードまたはポータブルアクセスポイントであり得るスモールセルＢＳであり得る。ＢＳ１０５が、１つ以上（例えば、２つ、３つ、４つ、および同様の数）のセルをサポートし得る。
【００３３】
[0047]  ネットワーク１００は、同期または非同期動作をサポートし得る。同期動作の場合、ＢＳは、同様のフレームタイミングを有し得、異なるＢＳからの送信は、ほぼ時間的に揃えられ得る（approximately aligned in time）。非同期動作の場合、ＢＳは、異なるフレームタイミングを有し得、異なるＢＳからの送信は、時間的に揃えられないことがある。
【００３４】
[0048]  ＵＥ１１５は、ワイヤレスネットワーク１００全体を通じて分散され、各ＵＥ１１５は、固定式または移動式であり得る。ＵＥ１１５がまた、端末、移動局、加入者ユニット、局、または同様の名称で呼ばれ得る。ＵＥ１１５が、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、または同様のものであり得る。一態様では、ＵＥ１１５が、ユニバーサル集積回路カード（ＵＩＣＣ：Universal Integrated Circuit Card）を含むデバイスであり得る。別の態様では、ＵＥが、ＵＩＣＣを含まないデバイスであり得る。いくつかの態様において、ＵＩＣＣを含まないＵＥ１１５はまた、ＩｏＴデバイスまたはあらゆるモノのインターネット（ＩｏＥ：internet of everything）デバイスと呼ばれ得る。ＵＥ１１５ａ〜１１５ｄは、ネットワーク１００にアクセスするモバイルスマートフォンタイプデバイスの例である。ＵＥ１１５がまた、マシンタイプ通信（ＭＴＣ）、拡張ＭＴＣ（ｅＭＴＣ）、ナローバンドＩｏＴ（ＮＢ−ＩｏＴ）、および同様のものを含む、接続された通信のために特に構成されたマシンであり得る。ＵＥ１１５ｅ〜１１５ｋは、ネットワーク１００にアクセスする通信のために構成された様々なマシンの例である。ＵＥ１１５が、マクロＢＳ、スモールセル、または同様のものにかかわらず、任意のタイプのＢＳと通信することが可能であり得る。図１では、稲妻（例えば、通信リンク）が、ＵＥ１１５と、ダウンリンクおよび／またはアップリンク上でＵＥ１１５にサービングするように指定されたＢＳであるサービングＢＳ１０５との間のワイヤレス送信、またはＢＳ間の所望される送信、およびＢＳ間のバックホール送信を示す。
【００３５】
[0049]  動作中、ＢＳ１０５ａ〜１０５ｃは、３Ｄビームフォーミングと、協調マルチポイント（ＣｏＭＰ：coordinated multipoint）またはマルチ接続性などの協調空間技法とを使用してＵＥ１１５ａおよび１１５ｂにサービングし得る。マクロＢＳ１０５ｄは、ＢＳ１０５ａ〜１０５ｃ、並びにスモールセル、ＢＳ１０５ｆとのバックホール通信を行い得る。マクロＢＳ１０５ｄはまた、ＵＥ１１５ｃおよび１１５ｄに加入され、それらによって受信されるマルチキャストサービスを送信し得る。そのようなマルチキャストサービスは、モバイルテレビまたはストリームビデオを含み得るか、または天気の緊急事態、またはアンバーアラート若しくはグレーアラートなどのアラートなどのコミュニティ情報を提供するための他のサービスを含み得る。
【００３６】
[0050]  ネットワーク１００はまた、ドローンであり得るＵＥ１１５ｅなどのミッションクリティカルデバイスのための超高信頼および冗長リンクとのミッションクリティカル通信をサポートし得る。ＵＥ１１５ｅとの冗長通信リンクが、マクロＢＳ１０５ｄおよび１０５ｅからのリンク、並びにスモールセルＢＳ１０５ｆからのリンクを含み得る。ＵＥ１１５ｆ（例えば、温度計）、ＵＥ１１５ｇ（例えば、スマートメータ）、およびＵＥ１１５ｈ（例えば、ウェアラブルデバイス）などの他のマシンタイプデバイスは、ネットワーク１００を通じて、スモールセルＢＳ１０５ｆおよびマクロＢＳ１０５ｅなどのＢＳと直接、またはＵＥ１１５ｆがＵＥ１１５ｇであるスマートメータに温度測定情報を通信し、それが次いでスモールセルＢＳ１０５ｆを通じてネットワークに報告されるなど、ネットワークにその情報を中継する別のユーザデバイスと通信することによってマルチホップ構成においてのいずれかで、通信し得る。ネットワーク１００はまた、ビークルツービークル（Ｖ２Ｖ）などにおいて、動的な低レイテンシＴＤＤ／ＦＤＤ通信を通じて追加のネットワーク効率を提供し得る。
【００３７】
[0051]  いくつかの実現形態において、ネットワーク１００は、通信のためにＯＦＤＭベースの波形を利用する。ＯＦＤＭＡベースのシステムが、システムＢＷを複数（Ｋ個）の直交サブキャリアに区分化し得、それらはまた一般に、サブキャリア、トーン、ビン、または同様の名称で呼ばれる。各サブキャリアは、データで変調され得る。いくつかの事例において、隣接サブキャリア間のサブキャリア間隔は、固定され得、サブキャリアの総数（Ｋ個）は、システムＢＷに依存し得る。システムＢＷはまた、サブバンドに区分化され得る。他の事例において、サブキャリア間隔および／またはＴＴＩの持続時間は、スケーラブルであり得る。
【００３８】
[0052]  ある実施形態において、ＢＳ１０５は、ネットワーク１００中のダウンリンク（ＤＬ）送信およびアップリンク（ＵＬ）送信のための送信リソースを（例えば、時間−周波数リソースブロック（ＲＢ）の形態で）割り当てるかまたはスケジューリングできる。ＤＬが、ＢＳ１０５からＵＥ１１５への送信方向を指すのに対して、ＵＬが、ＵＥ１１５からＢＳ１０５への送信方向を指す。通信は、無線フレームの形態であることができる。無線フレームが、複数のサブフレーム、例えば、約１０個のサブフレームに分割され得る。各サブフレームは、スロット、例えば、約２つのスロットに分割され得る。各スロットはさらに、ミニスロットに分割され得る。ＦＤＤモードでは、同時ＵＬおよびＤＬ送信が、異なる周波数帯域中で生じ得る。例えば、各サブフレームは、ＵＬ周波数帯域中のＵＬサブフレームと、ＤＬ周波数帯域中のＤＬサブフレームとを含む。時分割複信（ＴＤＤ）モードでは、ＵＬおよびＤＬ送信が、同じ周波数帯域を使用して異なる時間期間に生じる。例えば、無線フレーム中のサブフレームのサブセット（例えば、ＤＬサブフレーム）がＤＬ送信のために使用され得、無線フレーム中のサブフレームの別のサブセット（例えば、ＵＬサブフレーム）がＵＬ送信のために使用され得る。
【００３９】
[0053]  ＤＬサブフレームおよびＵＬサブフレームはさらに、いくつかの領域に分割され得る。例えば、各ＤＬまたはＵＬサブフレームは、基準信号、制御情報、およびデータの送信のための事前定義された領域を有し得る。基準信号は、ＢＳ１０５とＵＥ１１５との間の通信を容易にする所定の信号である。例えば、基準信号は、特定のパイロットパターンまたは構造を有することができ、ここで、パイロットトーンが、動作ＢＷまたは周波数帯域にわたって広がり得、各々は、事前定義された時間および事前定義された周波数に位置付けられる。例えば、ＢＳ１０５は、ＵＥ１１５がＤＬチャネルを推定することを可能にするために、セル固有基準信号（ＣＲＳ：cell specific reference signal）および／またはチャネル状態情報−基準信号（ＣＳＩ−ＲＳ：channel state information-reference signal）を送信し得る。同様に、ＵＥ１１５は、ＢＳ１０５がＵＬチャネルを推定することを可能にするために、サウンディング基準信号（ＳＲＳ）を送信し得る。制御情報は、リソース割り当ておよびプロトコル制御を含み得る。データは、プロトコルデータおよび／または動作データを含み得る。いくつかの実施形態において、ＢＳ１０５およびＵＥ１１５は、自己完結型サブフレームを使用して通信し得る。自己完結型サブフレームは、ＤＬ通信のための部分とＵＬ通信のための部分とを含み得る。自己完結型サブフレームは、ＤＬ中心またはＵＬ中心であることができる。ＤＬ中心サブフレームは、ＵＬ通信のための持続時間よりも長いＤＬ通信のための持続時間を含み得る。ＵＬ中心サブフレームは、ＵＬ通信のための持続時間よりも長いＵＬ通信のための持続時間を含み得る。
【００４０】
[0054]  ある実施形態において、ネットワーク１００は、ライセンススペクトルにわたって展開されるＮＲネットワークであり得る。ＢＳ１０５は、同期を容易にするために、ネットワーク１００中で（例えば、プライマリ同期信号（ＰＳＳ：primary synchronization signal）とセカンダリ同期信号（ＳＳＳ：secondary synchronization signal）とを含む）同期信号を送信できる。ＢＳ１０５は、ネットワーク１００に関連付けられたシステム情報（例えば、マスタ情報ブロック（ＭＩＢ：master information block）、残りの最小システム情報（ＲＭＳＩ：remaining minimum system information）、および他のシステム情報（ＯＳＩ：other system information）を含む）をブロードキャストして、初期ネットワークアクセスを容易にできる。いくつかの事例において、ＢＳ１０５は、物理ブロードキャストチャネル（ＰＢＣＨ：physical broadcast channel）を通して同期信号ブロック（ＳＳＢ：synchronization signal block）の形態でＰＳＳ、ＳＳＳ、および／またはＭＩＢをブロードキャストし得、物理ダウンリンク共有チャネル（ＰＤＳＣＨ：physical downlink shared channel）を通してＲＭＳＩおよび／またはＯＳＩをブロードキャストし得る。
【００４１】
[0055]  ある実施形態では、ネットワーク１００にアクセスしようと試みるＵＥ１１５が、ＢＳ１０５からのＰＳＳを検出することによって初期セル探索を行い得る。ＰＳＳは、周期タイミングの同期を可能にし得、物理レイヤアイデンティティ値を示し得る。ＵＥ１１５は次いで、ＳＳＳを受信し得る。ＳＳＳは、無線フレーム同期を可能にし得、セルアイデンティティ値を提供し得、それは、セルを識別するために物理レイヤアイデンティティ値と組み合わされ得る。ＳＳＳはまた、複信モードおよびサイクリックプレフィックス長の検出を可能にし得る。ＴＤＤシステムなどのいくつかのシステムは、ＰＳＳでなくＳＳＳを送信し得る。ＰＳＳおよびＳＳＳの両方は、それぞれ、キャリアの中央部分にロケートされ得る。
【００４２】
[0056]  ＰＳＳおよびＳＳＳを受信した後、ＵＥ１１５は、ＭＩＢを受信し得る。ＭＩＢは、初期ネットワークアクセスのためのシステム情報と、ＲＭＳＩおよび／またはＯＳＩのためのスケジューリング情報とを含み得る。ＭＩＢを復号した後、ＵＥ１１５は、ＲＭＳＩおよび／またはＯＳＩを受信し得る。ＲＭＳＩおよび／またはＯＳＩは、ランダムアクセスチャネル（ＲＡＣＨ：random access channel）プロシージャ、ページング、物理ダウンリンク制御チャネル（ＰＤＣＣＨ：physical downlink control channel）監視のための制御リソースセット（ＣＯＲＥＳＥＴ：control resource set）、物理アップリンク制御チャネル（ＰＵＣＣＨ：physical uplink control channel）、物理アップリンク共有チャネル（ＰＵＳＣＨ：physical uplink shared channel）、電力制御、ＳＲＳ、およびセル禁止（cell barring）に関連する無線リソース構成（ＲＲＣ：radio resource configuration）情報を含み得る。ＭＩＢ、ＲＭＳＩ、および／またはＯＳＩを取得した後、ＵＥ１１５は、ランダムアクセスプロシージャを行い、ＢＳ１０５との接続を確立できる。接続を確立した後、ＵＥ１１５およびＢＳ１０５は、動作データが交換され得る通常動作段階に入ることができる。
【００４３】
[0057]  いくつかの実施形態において、ネットワーク１００は、ＮＲネットワークであり得る。異なるＵＥ１１５におけるＤＣトーンロケーションは異なり得る。いくつかの実施形態において、ＵＥ１１５は、異なるコンポーネントキャリア（ＣＣ）構成のための異なるＤＣトーンを構成し得る。いくつかの実施形態において、ＵＥ１１５は、異なる帯域幅部分（ＢＷＰ）構成のための異なるＤＣトーンを構成し得る。ＵＥ１１５の無線フロントエンド（ＲＦ）受信機において、ＤＣロケーションにピーク信号があり得る。ピーク信号は、受信機における信号処理のための雑音のソースである。このことから、ＵＥのベースバンド処理は、ＤＣトーンの近くのいくつかの周波数をフィルタ除去し得る。ある実施形態において、ＢＳ１０５は、ＵＥ１１５における位相追跡を容易にするために、位相追跡基準信号（ＰＴＲＳ）を送信し得る。ＰＴＲＳとＵＥ１１５のＤＣトーンロケーションとの間の衝突を回避するために、ＵＥ１１５は、対応するＤＣトーンロケーションをＢＳ１０５に報告し得、ＢＳは、ＤＣトーンロケーション報告に基づいてＰＴＲＳを構成し得る。米国特許出願第１５／７０７，８２１号および米国特許出願公開２０１８／００９１３５０は、ＰＴＲＳ設計およびスクランブリングに対する拡張を説明しており、それらの各々は、全ての適用可能な目的のためにその全体が参照によって本明細書に組み込まれる。ＤＣトーンロケーション報告およびＰＴＲＳ構成のためのメカニズムが、本明細書でより詳細に説明される。
【００４４】
[0058]  図２は、本開示のいくつかの実施形態による、異なるＤＣロケーションを有するＵＥを伴う実例的なシナリオ２００を例示する。ＵＥは、ネットワーク１００のＵＥ１１５に対応し得る。図２において、ｙ軸は、いくつかの一定単位の周波数を表す。例えば、ネットワークは、２つのＣＣ２１０および２２０を用いて構成され得る。ネットワークのＵＥ ＡおよびＵＥ Ｂは、異なるＤＣロケーションを有し得る。例えば、ＵＥ Ａは、ＣＣ２１０を通して通信するために１つのＲＦおよび／またはベースバンドチェーンを、ＣＣ２２０を通して通信するために別のＲＦおよび／またはベースバンドチェーンを使用し得る。逆に、ＵＥ Ｂは、ＣＣ２１０およびＣＣ２２０を通して通信するために同じＲＦおよび／またはベースバンドチェーンを使用し得る。示されるように、ＵＥ Ａは、ＣＣ２１０のためのＤＣロケーション２０２と、ＣＣ２２０のための異なるＤＣロケーション２０６とを用いて構成され、ＵＥ Ｂは、ＣＣ２１０とＣＣ２２０との両方のためのＤＣロケーション２０４を用いて構成される。ＤＣロケーション２０２および２０６は、ＵＥ Ａの送信機および／またはＵＥ Ａの受信機のＤＣロケーションであり得る。同様に、ＤＣロケーション２０４は、ＵＥ Ｂの送信機および／またはＵＥ Ｂの受信機のＤＣロケーションであり得る。
【００４５】
[0059]  ある実施形態では、ＵＥが、現在のＲＦ構成に基づいてＤＣロケーションを決定し得る。現在のＲＦ構成は、搬送アグリゲーション（ＣＡ：carried aggregation）構成および／またはアクティブＢＷＰ構成に依存し得る。いくつかの実施形態において、ＵＥの送信機および受信機は、異なるＤＣロケーションを有し得る。いくつかの他の実施形態において、ＵＥの送信機および受信機は、同じＤＣロケーションを有し得る。
【００４６】
[0060]  ある実施形態において、ＵＥのＤＣロケーションは、ＵＥの実現形態に依存する。そのため、ネットワーク中の各ＵＥは、異なるＤＣロケーションを有することができる。例えば、あるＵＥ（チップセット）は、ＣＣの中心周波数をＤＣロケーションとして選び得、別のＵＥ（チップセット）は、連続するＣＣの中心周波数を選び得るか、またはさらに別のＵＥ（チップセット）は、ＣＣが連続的であるか非連続的であるかにかかわらず、全ての構成されたＣＣの中心周波数を選び得る。
【００４７】
[0061]  ある実施形態では、ＵＥが、構成されたＢＷＰにさらに基づいてＤＣロケーションを決定し得る。各ＢＷＰは、異なる中心周波数を有し得、ＵＥは、別の構成されたＢＷＰへのＢＷＰ切り替えコマンドに応じて、ＤＣロケーションを変更し得る。このことから、ＵＥは、異なるＢＷＰについて異なるＤＣロケーションを有し得る。
【００４８】
[0062]  図３は、本開示のいくつかの実施形態による、実例的なＢＷＰ構成３００を例示する。構成３００は、ＢＷＰ構成のためにネットワーク１００によって用いられ得る。例えば、ＢＳ１０５などのＢＳは、各ＣＣ（例えば、ＣＣ２１０および２２０）に対して最大約４つのＢＷＰを構成し得、データ通信のためのアクティブＢＷＰとしてＢＷＰのうちの１つを用いてＵＥ１１５などのＵＥを構成し得る。図３において、ｙ軸は、いくつかの一定単位の周波数を表す。構成３００は、ＢＷＰ３１０およびＢＷＰ３２０を含む。ＢＷＰ３１０および３２０は、同じ中心周波数３０２を有する。ある実施形態では、ＵＥがＢＷＰ３１０および３２０を用いて構成されるとき、ＵＥは、ＢＷＰ３１０と３２０との両方に対して同じＤＣロケーションを構成し得る。言い換えれば、ＵＥは、ＢＷＰ３１０とＢＷＰ３２０との間で切り替えるときにＤＣロケーションを変更しないことがある。
【００４９】
[0063]  図４は、プロシージャのいくつかの実施形態による、実例的なＢＷＰ構成４００を例示する。構成４００は、ネットワーク１００によって用いられ得る。図４において、ｙ軸は、いくつかの一定単位の周波数を表す。構成３００と同様に、ＢＳ１０５などのＢＳは、各ＣＣ（例えば、ＣＣ２１０および２２０）に対して最大約４つのＢＷＰを構成し得、データ通信のためのアクティブＢＷＰとしてＢＷＰのうちの１つを用いてＵＥ１１５などのＵＥを構成し得る。しかしながら、ＢＳは、異なる中心周波数を用いてＢＷＰを構成し得る。示されるように、構成４００は、ＢＷＰ４１０およびＢＷＰ４２０を含む。ＢＷＰ４１０は、中心周波数４０２を含む。ＢＷＰ４２０は、中心周波数４０２とは異なる中心周波数４０４を含む。ある実施形態では、ＵＥが、ＢＷＰ４１０および４２０について異なるＤＣロケーションを適用し得る。言い換えれば、ＵＥは、ＢＷＰ４１０とＢＷＰ４２０との間で切り替えるときにＤＣロケーションを変更し得る。
【００５０】
[0064]  図５は、本開示の実施形態による、例証的なＵＥ５００のブロック図である。ＵＥ５００は、上述されたようなＵＥ１１５またはＵＥ２１５であり得る。示されるように、ＵＥ５００は、プロセッサ５０２と、メモリ５０４と、ＤＣロケーション報告モジュール５０８と、モデムサブシステム５１２および無線周波数（ＲＦ）ユニット５１４を含むトランシーバ５１０と、１つ以上のアンテナ５１６とを含み得る。これら要素は、例えば、１つ以上のバスを介して、互いに直接的または間接的な通信状態にあり得る。
【００５１】
[0065]  プロセッサ５０２は、中央処理ユニット（ＣＰＵ）、デジタル信号プロセッサ（ＤＳＰ）、特定用途向け集積回路（ＡＳＩＣ）、コントローラ、フィールドプログラマブルゲートアレイ（ＦＰＧＡ）デバイス、別のハードウェアデバイス、ファームウェアデバイス、または本明細書で説明される動作を行うように構成されたそれらの任意の組み合わせを含み得る。プロセッサ５０２はまた、コンピューティングデバイスの組み合わせ、例えば、ＤＳＰとマイクロプロセッサとの組み合わせ、複数のマイクロプロセッサ、ＤＳＰコアと連携した１つ以上のマイクロプロセッサ、または任意の他のそのような構成として実現され得る。
【００５２】
[0066]  メモリ５０４は、キャッシュメモリ（例えば、プロセッサ５０２のキャッシュメモリ）、ランダムアクセスメモリ（ＲＡＭ）、磁気抵抗ＲＡＭ（ＭＲＡＭ）、読取専用メモリ（ＲＯＭ）、プログラマブル読取専用メモリ（ＰＲＯＭ）、消去可能プログラマブル読取専用メモリ（ＥＰＲＯＭ）、電気的消去可能プログラマブル読取専用メモリ（ＥＥＰＲＯＭ（登録商標））、フラッシュメモリ、ソリッドステートメモリデバイス、ハードディスクドライブ、他の形態の揮発性および不揮発性メモリ、または異なるタイプのメモリの組み合わせを含み得る。ある実施形態において、メモリ５０４は、非一時的コンピュータ可読媒体を含む。メモリ５０４は、命令５０６を記憶し得る。命令５０６は、プロセッサ５０２によって実行されたとき、プロセッサ５０２に、本開示の実施形態、例えば、図７〜１４の態様に関連してＵＥ１１５を参照して本明細書で説明される動作を行わせる命令を含み得る。命令５０６はまた、コードと呼ばれ得る。「命令」および「コード」という用語は、任意のタイプのコンピュータ可読ステートメント（１つ以上）を含むように広く解釈されるべきである。例えば、「命令」および「コード」という用語は、１つ以上のプログラム、ルーチン、サブルーチン、関数、プロシージャ、等を指し得る。「命令」および「コード」は、単一のコンピュータ可読ステートメントまたは多くのコンピュータ可読ステートメントを含み得る。
【００５３】
[0067]  ＤＣロケーション報告モジュール５０８は、ハードウェア、ソフトウェア、またはそれらの組み合わせを介して実現され得る。例えば、ＤＣロケーション報告モジュール５０８は、プロセッサ、回路、および／またはメモリ５０４中に記憶され、プロセッサ５０２によって実行される命令５０６として実現され得る。いくつかの例において、ＤＣロケーション報告モジュール５０８は、モデムサブシステム５１２内に統合され得る。例えば、ＤＣロケーション報告モジュール５０８は、モデムサブシステム５１２内の（例えば、ＤＳＰまたは汎用プロセッサによって実行される）ソフトウェアコンポーネントとハードウェアコンポーネント（例えば、ロジックゲートおよび回路）との組み合わせによって実現され得る。
【００５４】
[0068]  ＤＣロケーション報告モジュール５０８は、本開示の様々な態様、例えば、図７〜１４の態様のために使用され得る。例えば、ＤＣロケーション報告モジュール５０８は、本明細書でより詳細に説明されるように、ＢＳ１０５などのＢＳからＣＡ構成／再構成コマンド、ＣＣ構成／再構成コマンド、および／またはＢＷＰ構成／切り替えコマンドを受信し、受信されたコマンドおよび／またはＵＥ５００のＲＦ実現形態に基づいてＤＣロケーションを決定し、決定されたＤＣロケーションに基づいてＵＬ ＰＴＲＳ構成および／またはＤＬ ＰＴＲＳ構成を選択し、ＢＳにＤＣロケーション情報および／またはＰＴＲＳ構成選択を報告し、ＢＳからＵＬおよび／またはＤＬ ＰＴＲＳ構成を受信し、および／または受信されたＵＬおよび／またはＤＬ ＰＴＲＳ構成に基づいてＵＬ送信中にＰＴＲＳを含めるように構成される。
【００５５】
[0069]  示されるように、トランシーバ５１０は、モデムサブシステム５１２とＲＦユニット５１４とを含み得る。トランシーバ５１０は、ＢＳ１０５などの他のデバイスと双方向に通信するように構成され得る。モデムサブシステム５１２は、変調およびコーディングスキーム（ＭＣＳ）、例えば、低密度パリティチェック（ＬＤＰＣ）コーディングスキーム、ターボコーディングスキーム、畳み込みコーディングスキーム、デジタルビームフォーミングスキーム、等に従って、メモリ５０４および／またはＤＣロケーション報告モジュール５０８からのデータを変調および／または符号化するように構成され得る。ＲＦユニット５１４は、（アウトバウンド送信上の）モデムサブシステム５１２からの変調／符号化されたデータ、またはＵＥ１１５若しくはＢＳ１０５などの別のソースから発信された送信の変調／符号化されたデータを処理する（例えば、アナログ対デジタル変換またはデジタル対アナログ変換、等を行う）ように構成され得る。ＲＦユニット５１４はさらに、デジタルビームフォーミングと併せてアナログビームフォーミングを行うように構成され得る。トランシーバ５１０中に共に統合されるものとして示されるが、モデムサブシステム５１２およびＲＦユニット５１４は、ＵＥ１１５が他のデバイスと通信することを可能にするためにＵＥ１１５において共に結合される別個のデバイスであり得る。
【００５６】
[0070]  ＲＦユニット５１４は、１つ以上の他のデバイスへの送信のために、変調および／または処理されたデータ、例えば、データパケット（または、より一般的には、１つ以上のデータパケットと他の情報とを包含し得るデータメッセージ）をアンテナ５１６に提供し得る。アンテナ５１６はさらに、他のデバイスから送信されたデータメッセージを受信し得る。アンテナ５１６は、トランシーバ５１０における処理および／または復調のために、受信されたデータメッセージを提供し得る。アンテナ５１６は、複数の送信リンクを維持するために、同様のまたは異なる設計の複数のアンテナを含み得る。ＲＦユニット５１４は、アンテナ５１６を構成し得る。
【００５７】
[0071]  いくつかの実施形態において、ＵＥ５００は、複数のモデムサブシステム５１２および／または複数のＲＦユニット５１４を含み得る。モデムサブシステム５１２は、ベースバンドにおいて処理を行い得る。このことから、モデムサブシステム５１２は、ベースバンド送信機および／またはベースバンド受信機と呼ばれ得る。送信経路において、ＲＦユニット５１４は、アンテナ５１６を通した送信のために、モデムサブシステム５１２によって生成されたＵＬベースバンド信号を対応するＲＦキャリア周波数にアップコンバートするＲＦアップコンバータを含み得る。受信経路において、ＲＦユニット５１４は、モデムサブシステム５１２による処理のために、アンテナ５１６から受信されたＤＬ ＲＦ信号をベースバンドにダウンコンバートするＲＦダウンコンバータを含み得る。いくつかの実施形態において、モデムサブシステム５１２および／またはＲＦユニット５１４は、ＢＳから受信されたＢＷＰ構成および／またはＣＡ構成に基づいて構成され得る。いくつかの実施形態において、同じモデムサブシステム５１２および同じＲＦユニット５１４が、全てのＢＷＰ構成および全てのＣＡ構成のために使用され得る。
【００５８】
[0072]  図６は、本開示の実施形態による、例証的なＢＳ６００のブロック図である。ＢＳ６００は、上述されたようなＢＳ１０５であり得る。示されるように、ＢＳ６００は、プロセッサ６０２と、メモリ６０４と、ＰＴＲＳ構成モジュール６０８と、モデムサブシステム６１２およびＲＦユニット６１４を含むトランシーバ６１０と、１つ以上のアンテナ６１６とを含み得る。これら要素は、例えば、１つ以上のバスを介して、互いに直接的または間接的な通信状態にあり得る。
【００５９】
[0073]  プロセッサ６０２は、特定タイプのプロセッサとして様々な特徴を有し得る。例えば、これらは、ＣＰＵ、ＤＳＰ、ＡＳＩＣ、コントローラ、ＦＰＧＡデバイス、別のハードウェアデバイス、ファームウェアデバイス、または本明細書で説明される動作を行うように構成されたそれらの任意の組み合わせを含み得る。プロセッサ６０２はまた、コンピューティングデバイスの組み合わせ、例えば、ＤＳＰとマイクロプロセッサとの組み合わせ、複数のマイクロプロセッサ、ＤＳＰコアと連携した１つ以上のマイクロプロセッサ、または任意の他のそのような構成として実現され得る。
【００６０】
[0074]  メモリ６０４は、キャッシュメモリ（例えば、プロセッサ６０２のキャッシュメモリ）、ＲＡＭ、ＭＲＡＭ、ＲＯＭ、ＰＲＯＭ、ＥＰＲＯＭ、ＥＥＰＲＯＭ、フラッシュメモリ、ソリッドステートメモリデバイス、１つ以上のハードディスクドライブ、メモリスタベースのアレイ、他の形態の揮発性および不揮発性メモリ、または異なるタイプのメモリの組み合わせを含み得る。いくつかの実施形態において、メモリ６０４は、非一時的コンピュータ可読媒体を含み得る。メモリ６０４は、命令６０６を記憶し得る。命令６０６は、プロセッサ６０２によって実行されると、プロセッサ６０２に、本明細書で説明される動作、例えば、図７〜１３および１５の態様を行わせる命令を含み得る。命令６０６はまた、コードと呼ばれ得、それは、図５に関して上述されたような任意のタイプのコンピュータ可読ステートメント（１つ以上）を含むように広く解釈され得る。
【００６１】
[0075]  ＰＴＲＳ構成モジュール６０８は、ハードウェア、ソフトウェア、またはそれらの組み合わせを介して実現され得る。例えば、ＰＴＲＳ構成モジュール６０８は、プロセッサ、回路、および／またはメモリ６０４に記憶され、プロセッサ６０２によって実行される命令６０６として実現され得る。いくつかの例において、ＰＴＲＳ構成モジュール６０８は、モデムサブシステム６１２内に統合され得る。例えば、ＰＴＲＳ構成モジュール６０８は、モデムサブシステム６１２内の（例えば、ＤＳＰまたは汎用プロセッサによって実行される）ソフトウェアコンポーネントとハードウェアコンポーネント（例えば、ロジックゲートおよび回路）との組み合わせによって実現され得る。
【００６２】
[0076]  ＰＴＲＳ構成モジュール６０８は、本開示の様々な態様、例えば、図７〜１３および１５の態様のために使用され得る。例えば、ＰＴＲＳ構成モジュール６０８は、本明細書でより詳細に説明されるように、ＵＥ１１５および５００などのＵＥのためのＣＡ構成／再構成、ＣＣ構成／再構成、および／またはＢＷＰ構成／切り替えを決定し、ＵＥからＤＣロケーション報告および／またはＰＴＲＳ構成選択を受信し、ＵＥにおける位相追跡を容易にするために、報告中に示されるＤＣロケーションを回避して、若しくはＰＴＲＳ構成選択に基づいて、ＵＥのためのＰＴＲＳを構成し、および／またはＤＬ信号送信中にＰＴＲＳを含めるように構成される。
【００６３】
[0077]  示されるように、トランシーバ６１０は、モデムサブシステム６１２とＲＦユニット６１４とを含み得る。トランシーバ６１０は、ＵＥ１１５および／または別のコアネットワーク要素などの他のデバイスと双方向に通信するように構成され得る。モデムサブシステム６１２は、ＭＣＳ、例えば、ＬＤＰＣコーディングスキーム、ターボコーディングスキーム、畳み込みコーディングスキーム、デジタルビームフォーミングスキーム、等に従ってデータを変調および／または符号化するように構成され得る。ＲＦユニット６１４は、（アウトバウンド送信上の）モデムサブシステム６１２からの変調／符号化されたデータ、またはＵＥ１１５若しくは５００などの別のソースから発信された送信の変調／符号化されたデータを処理する（例えば、アナログ対デジタル変換またはデジタル対アナログ変換、等を行う）ように構成され得る。ＲＦユニット６１４はさらに、デジタルビームフォーミングと併せてアナログビームフォーミングを行うように構成され得る。トランシーバ６１０中に共に統合されるものとして示されるが、モデムサブシステム６１２およびＲＦユニット６１４は、ＢＳ１０５が他のデバイスと通信することを可能にするためにＢＳ１０５において共に結合される別個のデバイスであり得る。
【００６４】
[0078]  ＲＦユニット６１４は、１つ以上の他のデバイスへの送信のために、変調および／または処理されたデータ、例えば、データパケット（または、より一般的には、１つ以上のデータパケットと他の情報とを包含し得るデータメッセージ）をアンテナ６１６に提供し得る。これは、例えば、本開示の実施形態による、ネットワークへの接続およびキャンプされたＵＥ１１５または５００との通信を完了するための情報の送信を含み得る。アンテナ６１６はさらに、他のデバイスから送信されたデータメッセージを受信し、トランシーバ６１０における処理および／または復調のために、受信されたデータメッセージを提供し得る。アンテナ６１６は、複数の送信リンクを維持するために、同様のまたは異なる設計の複数のアンテナを含み得る。
【００６５】
[0079]  図７〜９は、ＣＡ再構成、ＢＷＰ切り替え、および／またはＢＷＰ再構成によってトリガされたイベントに基づいてＤＣロケーションを報告するための様々なメカニズムを例示する。
【００６６】
[0080]  図７は、プロシージャのいくつかの実施形態による、ＤＣロケーション報告方法７００を例示するシグナリング図である。方法７００は、ネットワーク１００によって用いられる。方法７００のステップは、ＢＳ１０５および６００並びにＵＥ１１５および５００などのワイヤレス通信デバイスのコンピューティングデバイス（例えば、プロセッサ、処理回路、および／または他の適したコンポーネント）によって実行され得る。例示されるように、方法７００は、いくつかの列挙されたステップを含むが、方法７００の実施形態は、列挙されたステップの前、後、および間に追加のステップを含み得る。いくつかの実施形態では、列挙されたステップのうちの１つ以上が、省略され得るか、または異なる順序で行われ得る。方法７００は、議論の簡略化を目的として１つのＢＳおよび１つのＵＥを例示するが、本開示の実施形態は、より多くのＵＥおよび／またはＢＳにスケーリングし得ることが認識されるであろう。方法７００は、ＣＡ再構成に基づくＤＣ報告を例示する。
【００６７】
[0081]  ステップ７１０において、ＢＳは、ＵＥにＣＡ再構成コマンドを送信する。ＣＡ再構成は、ＣＣ（例えば、ＣＣ２１０および２１０）の除去および／または以前のＣＡ構成へのＣＣの追加を含み得る。
【００６８】
[0082]  ステップ７２０において、ＣＡ再構成コマンドを受信すると、ＵＥは、再構成されたＣＡ構成に基づいてＤＣロケーションを決定し得る。いくつかの実施形態において、ＵＥは、ＵＥの送信機のＤＣロケーションおよびＵＥの受信機のＤＣロケーションを決定し得る。
【００６９】
[0083]  ステップ７３０において、ＵＥは、ＢＳにＤＣロケーション報告を送信し得る。ＤＣロケーション報告は、再構成されたＣＡ構成のために決定されたＤＣロケーションを示し得る。
【００７０】
[0084]  ステップ７４０において、ＢＳは、ＤＣロケーション報告に基づいてＰＴＲＳ構成を決定する。例えば、ＢＳは、受信されたＤＣロケーション報告中に示されるＤＣトーンを回避して、ＰＴＲＳ送信のためのＵＬおよび／またはＤＬリソースを構成し得る。
【００７１】
[0085]  ステップ７５０において、ＢＳは、ＵＥにＰＴＲＳ構成を送信する。
【００７２】
[0086]  ステップ７６０において、ＢＳは、ＵＥにおける位相追跡を容易にするために、構成されたＤＬリソースを使用してＰＴＲＳを送信する。例えば、ＰＴＲＳは、ＤＬデータを搬送するＤＬ信号中に含まれる。
【００７３】
[0087]  ステップ７７０において、ＵＥは、ＢＳにおける位相追跡を容易にするために、構成されたＵＬリソースを使用してＰＴＲＳを送信する。例えば、ＰＴＲＳは、ＵＬデータを搬送するＵＬ信号中に含まれる。
【００７４】
[0088]  ＣＡ再構成に基づくＤＣロケーション報告のトリガリングは、（例えば、構成３００に示されるように）全ての構成されたＢＷＰが同じ中心周波数を有するとき、またはキャリア内に１つのＢＷＰのみがあるとき、適し得る。
【００７５】
[0089]  図８は、プロシージャのいくつかの実施形態による、ＤＣロケーション報告方法８００を例示するシグナリング図である。方法８００は、ネットワーク１００によって用いられる。方法８００のステップは、ＢＳ１０５および６００並びにＵＥ１１５および５００などのワイヤレス通信デバイスのコンピューティングデバイス（例えば、プロセッサ、処理回路、および／または他の適したコンポーネント）によって実行され得る。例示されるように、方法８００は、いくつかの列挙されたステップを含むが、方法８００の実施形態は、列挙されたステップの前、後、および間に追加のステップを含み得る。いくつかの実施形態では、列挙されたステップのうちの１つ以上が、省略され得るか、または異なる順序で行われ得る。方法８００は、議論の簡略化を目的として１つのＢＳおよび１つのＵＥを例示するが、本開示の実施形態は、より多くのＵＥおよび／またはＢＳにスケーリングし得ることが認識されるであろう。方法８００は、ＢＷＰ切り替えに基づくＤＣ報告を例示する。
【００７６】
[0090]  ステップ８１０において、ＢＳは、ＵＥにＢＷＰ切り替えコマンドを送信する。例えば、ＢＷＰ切り替えコマンドは、ＵＥの１つ以上のアクティブＢＷＰ（例えば、ＢＷＰ３１０、３２０、４１０、および４２０）を他のＢＷＰに切り替え得る。ある実施形態において、ＢＳは、ＲＲＣ再構成プロシージャを使用してＵＥのアクティブＢＷＰを切り替え得る。
【００７７】
[0091]  ステップ８２０において、ＢＷＰ切り替えコマンドを受信すると、ＵＥは、ＢＷＰ切り替えコマンドによって示されるアクティブＢＷＰに基づいてＤＣロケーションを決定し得る。いくつかの実施形態において、ＵＥは、ＵＥの送信器のＤＣロケーションおよびＵＥの受信器のＤＣロケーションを決定し得る。
【００７８】
[0092]  ステップ８３０において、ＵＥは、ＢＳにＤＣロケーション報告を送信し得る。ＤＣロケーション報告は、切り替えられたＢＷＰのために決定されたＤＣロケーションを示し得る。
【００７９】
[0093]  ステップ８４０において、ＢＳは、ＤＣロケーション報告に基づいてＰＴＲＳ構成を決定する。例えば、ＢＳは、受信されたＤＣロケーション報告中に示されるＤＣトーンを回避して、ＰＴＲＳ送信のためのＵＬおよび／またはＤＬリソースを構成し得る。
【００８０】
[0094]  ステップ８５０において、ＢＳは、ＵＥにＰＴＲＳ構成を送信する。
【００８１】
[0095]  ステップ８６０において、ＢＳは、ＵＥにおける位相追跡を容易にするために、構成されたＤＬリソースを使用してＰＴＲＳを送信する。例えば、ＰＴＲＳは、ＤＬデータを搬送するＤＬ信号中に含まれる。
【００８２】
[0096]  ステップ８７０において、ＵＥは、ＢＳにおける位相追跡を容易にするために、構成されたＵＬリソースを使用してＰＴＲＳを送信する。例えば、ＰＴＲＳは、ＵＬデータを搬送するＵＬ信号中に含まれる。
【００８３】
[0097]  図９は、本開示のいくつかの実施形態による、ＤＣロケーション報告方法９００を例示するシグナリング図である。方法９００は、ネットワーク１００によって用いられる。方法９００のステップは、ＢＳ１０５および６００並びにＵＥ１１５および５００などのワイヤレス通信デバイスのコンピューティングデバイス（例えば、プロセッサ、処理回路、および／または他の適したコンポーネント）によって実行され得る。例示されるように、方法９００は、いくつかの列挙されたステップを含むが、方法９００の実施形態は、列挙されたステップの前、後、および間に追加のステップを含み得る。いくつかの実施形態では、列挙されたステップのうちの１つ以上が、省略され得るか、または異なる順序で行われ得る。方法９００は、議論の簡略化を目的として１つのＢＳおよび１つのＵＥを例示するが、本開示の実施形態は、より多くのＵＥおよび／またはＢＳにスケーリングし得ることが認識されるであろう。方法９００は、ＣＡ構成の考慮を伴うＢＷＰ再構成に基づくＤＣ報告を例示する。
【００８４】
[0098]  ステップ９１０において、ＢＳは、ＵＥにＢＷＰ再構成コマンドを送信する。ＢＷＰ再構成は、ＢＷＰ（例えば、ＢＷＰ３１０、３２０、４１０、および４２０）の除去および／または以前のＢＷＰ構成へのＢＷＰの追加を含み得る。
【００８５】
[0099]  ステップ９２０において、ＢＷＰ再構成コマンドを受信すると、ＵＥは、再構成された１つ以上のＢＷＰと、ＵＥによって使用されているＣＡ構成とに基づいて、ＤＣロケーションを決定し得る。いくつかの実施形態において、ＵＥは、ＵＥの送信機のＤＣロケーションおよびＵＥの受信機のＤＣロケーションを決定し得る。
【００８６】
[0100]  ステップ９３０において、ＵＥは、ＢＳにＤＣロケーション報告を送信し得る。ＤＣロケーション報告は、再構成された１つ以上のＢＷＰのために決定されたＤＣロケーションを示し得る。
【００８７】
[0101]  ステップ９４０において、ＢＳは、ＤＣロケーション報告に基づいてＰＴＲＳ構成を決定する。例えば、ＢＳは、受信されたＤＣロケーション報告中に示されるＤＣトーンを回避して、ＰＴＲＳ送信のためのＵＬおよび／またはＤＬリソースを構成し得る。
【００８８】
[0102]  ステップ９５０において、ＢＳは、ＵＥにＰＴＲＳ構成を送信する。
【００８９】
[0103]  ステップ９６０において、ＢＳは、ＵＥにおける位相追跡を容易にするために、構成されたＤＬリソースを使用してＰＴＲＳを送信する。例えば、ＰＴＲＳは、ＤＬデータを搬送するＤＬ信号中に含まれる。
【００９０】
[0104]  ステップ９７０において、ＵＥは、ＢＳにおける位相追跡を容易にするために、構成されたＵＬリソースを使用してＰＴＲＳを送信する。例えば、ＰＴＲＳは、ＵＬデータを搬送するＵＬ信号中に含まれる。
【００９１】
[0105]  ある実施形態では、大量のＵＬ ＤＣロケーション報告シグナリングを回避するために、ネットワークが、全ての構成されたＣＣにわたるアクティブＢＷＰの限られた潜在的な組み合わせをシグナリングし得る。そのため、ＵＥは、潜在的なアクティブなＢＷＰ組み合わせのためのＤＣロケーションをシグナリングできる。
【００９２】
[0106]  ある実施形態では、ＢＳ（例えば、ＢＳ１０５および６００）が、基準ＢＷＰのセットを構成し得る。基準ＢＷＰのセットのための構成は、特定のＵＥのためのＲＲＣレイヤにおいて行われ得る。基準ＢＷＰのセットは、単一のＣＣ内にあるかまたは複数のＣＣにわたることができる。いくつかの実施形態において、基準ＢＷＰのセットは、ＵＥの構成されたＢＷＰのサブセットであることができる。ＵＥは、基準ＢＷＰのセットのためのＤＣロケーションを決定し得る。いくつかの実施形態において、ＵＥは、帯域組み合わせに応じた(as a function of )ＤＣロケーションのセットを示す帯域報告を含むＤＣロケーション報告を送信し得る。
【００９３】
[0107]  図１０は、本開示のいくつかの実施形態による、ＤＣロケーション報告方法１０００を例示する。方法は、ネットワーク１００によって用いられることができる。特に、方法１０００は、ＤＣロケーション報告のためのＵＥ１１５および５００などのＵＥによって実現され得る。図１０において、ｙ軸は、いくつかの一定単位の周波数を表す。方法１０００は、それぞれ、図７、８、および９に関して上述された方法７００、８００、および９００と併せて使用され得る。一例として、ＵＥのＲＦチェーンは、３つの帯域内ＣＣ１０１０、１０２０、および１０３０（例えば、ＣＣ２１０および２２０）を受信し得る。ＵＥは、単一の局部発振器を使用して、受信されたＲＦ信号をＤＣ周波数１００２を有するベースバンド信号にダウンコンバートし得る。示されるように、ＤＣ周波数１００２は、ＤＣ周波数１００２が存在するリソースブロック（ＲＢ）１０４０内の６とインデックス付けされたサブキャリア１０４２にマッピングされる。ＵＥは、ＲＢ１０４０内のサブキャリアインデックス６をＢＳ（例えば、ＢＳ１０５および６００）に報告し得る。例えば、ＵＥは、サブキャリアインデックスオフセット値をＢＳに報告し得る。ＤＣロケーション報告メッセージは、図１１に関して以下に本明細書でより詳細に説明される。報告を受信すると、ＢＳは、ＰＴＲＳとＤＣトーンとの間の衝突を回避するために、６とインデックス付けされたサブキャリアと重複しないＰＴＲＳを用いてＵＥを構成し得る。
【００９４】
[0108]  方法１０００は、ＵＥの受信機のＤＣロケーションを報告するコンテキストにおいて説明されるが、方法１０００は、ＵＥの送信機のＤＣロケーションを報告するために適用され得る。例えば、ＵＥの送信器のＤＣロケーションは、ＵＥのベースバンドおよびアップコンバートハードウェア実現形態に基づき得る。
【００９５】
[0109]  図１１は、本開示のいくつかの実施形態による、ＤＣロケーション報告メッセージ要素１１００を例示する。メッセージ要素１１００は、ＤＣロケーション情報を報告するためにＵＥ１１５および５００などのＵＥによって使用され得る。方法１０００において上述されたように、ＵＥは、ＤＣロケーション（例えば、ＤＣ周波数１００２）を示すために、ＲＢ内のサブキャリアオフセットを報告し得る。ある実施形態において、メッセージ要素１１００は、４ビットの長さ（例えば、ｂ０、ｂ１、ｂ２、およびｂ３として示される）を有し得る。メッセージ要素１１００は、０と１５との間で変動する値を有することができる。
【００９６】
[0110]  例えば、メッセージ要素１１００が０と１１との間の値を含むとき、値は、ＤＣ周波数が存在するＲＢ（例えば、ＲＢ１０４０）内のＤＣサブキャリアインデックスを示す。メッセージ要素１１００中の１２の値は、ＤＣトーンが関心のある帯域の外側にあり得るか、またはＵＥが強いＤＣ拒否を有するアルゴリズムを適用し得る、ドントケア条件（don’t care condition）を示し得る。メッセージ要素１１００中の１３の値は、ＤＣトーンがＲＢ（例えば、ＲＢ１０４０）内に存在し得るが、サブキャリアインデックスへのＤＣトーンのマッピングが指定されないことがある、非決定論的条件（nondeterministic condition）を示し得る。これは、ＵＥが高速周波数ホッピングを使用し、このことから、ＤＣロケーションが急速に変化するシナリオに対応し得る。１４および１５の残りの値は、将来の使用のためにリザーブされ得る。
【００９７】
[0111]  ＵＥは、物理アップリンク制御チャネル（ＰＵＣＣＨ）シグナリングまたはＲＲＣシグナリングを介してメッセージ要素１１００を送信し得る。ＵＥは、ＵＥの実現形態および／またはアプリケーションに依存し得る任意の適したシグナリング構成を使用して、ＢＳにＤＣロケーション情報を提供し得る。例えば、ＵＥは、各ＣＣおよび／または各ＢＷＰのためのメッセージ要素１１００を送信し得る。代替として、ＵＥは、ＣＡシナリオにおいて帯域内ＣＣ（例えば、ＣＣ１０１０、１０２０、および１０３０）のセットのためのメッセージ要素１１００を送信し得る。さらに代替として、ＵＥは、帯域全体のためのメッセージ要素１１００を送信し得る。方法１０００において説明されるシナリオの場合、ＵＥは、ＤＣロケーション報告のための６のサブキャリアインデックスを報告し得る。
【００９８】
[0112]  いくつかの実施形態において、ＵＥは、２つのメッセージ要素１１００（例えば、合計８ビット）を送信し得、１つはＵＥの送信機のＤＣロケーションを示し、もう１つはＵＥの受信機のＤＣロケーションを示す。メッセージ要素１１００は、４のビット長で例示されているが、メッセージ要素１１００は、同様の機能を達成するために異なるビット長（例えば、５、８、またはそれ以上）を含むように代替的に構成され得る。４のビット長は、約１２個のサブキャリア（例えば、図１０において０〜１１とインデックス付けされたサブキャリア）を有するＲＢ（例えば、ＲＢ１０４０）中のサブキャリアオフセットの報告をサポートし、追加のドントケア条件を提供するように構成され得る。
【００９９】
[0113]  いくつかの実施形態において、ＵＥは、各メッセージ要素１１００と共にＢＷＰインデックスまたはＣＣインデックスを含み得る。例えば、ＵＥは、報告中に各ＢＷＰのためのＢＷＰインデックスおよびメッセージ要素１１００を含めることによって、４つのＢＷＰのための４つのＤＣロケーションを報告し得る。代替として、ＵＥは、報告中に各ＣＣのためのＣＣインデックスおよびメッセージ要素１１００を含めることによって、８つのＣＣのための８つのＤＣロケーションを報告し得る。
【０１００】
[0114]  いくつかの他の実施形態では、ＵＥが、メッセージ要素１１００を使用する代わりに絶対無線周波数チャネル番号（ＡＲＦＣＮ：absolute radio frequency channel number）を使用してＵＥのＤＣロケーションを報告し得る。例えば、ＵＥは、報告中に各対応するＢＷＰまたは各ＣＣのためのＡＲＦＣＮを含め得る。
【０１０１】
[0115]  いくつかの他の実施形態では、ＵＥが、２つの隣接するサブキャリアの間にロケートされたＤＣ周波数トーンを有し得、ここで、ＤＣトーンは、両方のサブキャリアに等しくまたは同等に影響または干渉し得る。そのような実施形態において、メッセージ要素１１００は、０と３１との間で変動する値を有する約５ビットの長さを含むように拡張され得る。例えば、０と１３との間の値は、上述されたのと同じＤＣ情報を表し得る。例えば、１４と２５との間の他の値は、ＤＣロケーションが２つの隣接するサブキャリアの間にあることを示し得る。例えば、１４の値は、ＤＣロケーションがインデックス０および１のサブキャリアの間にあることを示し得る。同様に、１５の値は、ＤＣロケーションがインデックス１のサブキャリアとインデックス２のサブキャリアとの間にあることを示し得、以下同様である。同様にまたは代替として、２５の値は、ＤＣロケーションがＲＢ中のインデックス１１のサブキャリアと次のＲＢ中のインデックス０のサブキャリアとの間にある（例えば、ＤＣトーンが２つの隣接するＲＢの境界上に存在する）ことを示し得る。２６〜３１の残りの値は、将来の使用のためにリザーブされ得る。いくつかの他の実施形態において、メッセージ要素１１００中の値は、同様の機能を達成するように代替的に構成され得る。
【０１０２】
[0116]  図１２は、本開示のいくつかの実施形態による、ＰＴＲＳ ＲＥレベルオフセット構成１２００を例示する。構成１２００は、ネットワーク１００などのネットワークによって用いられ得る。特に、ＢＳ１０５および６００などのＢＳは、ＵＥ１１５および５００などのＵＥから受信されたＤＣロケーション報告に基づいてＰＴＲＳを構成するために、構成１２００を使用し得る。示されるように、ＰＴＲＳ構成は、復調基準信号（ＤＭＲＳ）ポート構成に関連付けられ得る。各ＤＭＲＳポート構成は、特定のアンテナポートのための物理ＲＥまたはサブキャリアへのＤＭＲＳのマッピングを指す。加えて、異なるタイプのＤＭＲＳは、異なるＤＭＲＳポート構成を有し得る。
【０１０３】
[0117]  図１２において、列１２１０は、バイナリ値００、０１、１０、および１１によって表されるＰＴＲＳ−ＲＥ−ｏｆｆｓｅｔ構成を示す。列１２２０、１２３０、１２４０、および１２５０は、最大４つのＤＭＲＳポートが構成されるとき、それぞれ、１０００、１００１、１００２、および１００３によって表されるＤＭＲＳポート番号に関連付けられたＰＴＲＳ送信のために構成またはマッピングされたサブキャリアまたはＲＥのサブキャリアインデックスまたはオフセットを（例えば、１０進フォーマットで）示す。一例として、ＰＴＲＳ−ＲＥ−ｏｆｆｓｅｔ構成が０１であり、関連するＤＭＲＳポート番号が１００１であるとき、ＰＴＲＳは、破線の円１２０２によって示されるように、リソース要素（ＲＥ）または４のサブキャリアオフセットにおける（例えば、データ信号のシンボル毎の）サブキャリアを使用して送信され得る。ＰＴＲＳ−ＲＥ−ｏｆｆｓｅｔ構成１２００は、２０１８年４月３日付けの３ＧＰＰ文書ＴＳ３８．２１１バージョン１５．１．０において定義されたＰＴＲＳ−ＲＥ−ｏｆｆｓｅｔ構成と同様であり得る。
【０１０４】
[0118]  いくつかの実施形態では、ＢＳが、ＵＬ ＰＴＲＳのためのＰＴＲＳ−ＲＥ−ｏｆｆｓｅｔ構成と、ＤＬ ＰＴＲＳのためのＰＴＲＳ−ＲＥ−ｏｆｆｓｅｔ構成とを決定し得る。加えて、ＢＳは、ＤＭＲＳ構成タイプに基づいてＰＴＲＳ−ＲＥ−ｏｆｆｓｅｔ構成を決定し得る。例えば、ＮＲは、ＤＭＲＳ構成タイプ１およびＤＭＲＳ構成タイプ２をサポートし得る。このことから、ＢＳは、ＤＭＲＳ構成タイプ１のためのＤＬ ＰＴＲＳのためのＵＬ ＰＴＲＳ−ＲＥ−ｏｆｆｓｅｔ構成およびＤＬ ＰＴＲＳ−ＲＥ−ｏｆｆｓｅｔ構成と、ＤＭＲＳ構成タイプ２のためのＤＬ ＰＴＲＳのためのＵＬ ＰＴＲＳ−ＲＥ−ｏｆｆｓｅｔ構成およびＤＬ ＰＴＲＳ−ＲＥ−ｏｆｆｓｅｔ構成とを決定し得る。
【０１０５】
[0119]  いくつかの実施形態において、ＤＭＲＳ構成タイプ１またはＤＭＲＳ構成タイプ２の使用は、ＵＥ固有構成に依存し得る。例えば、ＤＭＲＳ構成タイプ１は、最大約４つのポートをサポートし得、ＤＭＲＳ構成タイプ２は、最大約６つのポートをサポートし得る（１つのＤＭＲＳシンボル構成のケースにおいて）。加えて、ＤＭＲＳ構成タイプ１は、ＤＭＲＳ構成タイプ２よりも高いＤＭＲＳトーン密度を有し得る。このことから、ＤＭＲＳ構成タイプ１は、改善されたチャネル推定性能を可能にし得る。そのため、ＤＭＲＳ構成タイプ１は、低ランク、高信頼性が重要である送信、例えば、ブロードキャスト情報のために使用され得る。逆に、ＤＭＲＳ構成タイプ２は、高ランク、高データレートが重要である送信のために使用され得る。
【０１０６】
[0120]  ＵＥの受信機ＤＣトーンが６とインデックス付けされたサブキャリアと重複する、方法１０００において説明されるシナリオの場合、ＢＳは、ＤＬ ＰＴＲＳとＵＥの受信機のＤＣトーンとの間の衝突を回避するために、１０のＤＬ−ＰＴＲＳ−ＲＥ−ｏｆｆｓｅｔを用いて（例えば、破線の円１２０４によって示されるように６とインデックス付けされたサブキャリアを用いて）ＵＥを構成しないことがある。同様に、方法１０００におけるＤＣロケーション報告がＵＥの送信器のＤＣトーンを含むとき、ＢＳは、ＵＬ ＰＴＲＳとＵＥの送信器のＤＣトーンとの間の衝突を回避するために、１０のＵＬ−ＰＴＲＳ−ＲＥ−ｏｆｆｓｅｔを用いてＵＥを構成しないことがある。ある実施形態では、ＢＳが、ＤＬ−ＰＴＲＳ−ＲＥ−ｏｆｆｓｅｔおよび／またはＵＬ−ＰＴＲＳ−ＲＥ−ｏｆｆｓｅｔの決定のために、ＤＣロケーションの絶対周波数を必要としないことがある。
【０１０７】
[0121]  別の例では、ＵＥの受信機が、５および６とインデックス付けされたサブキャリアの間にＤＣ周波数を含み得る。例えば、ＤＣ周波数は、ＵＥの受信機においてピーク信号を生成し、５および６とインデックス付けされたサブキャリアに干渉を引き起こし得る。このことから、ＢＳは、ＤＬ ＰＴＲＳと５および６とインデックス付けされたサブキャリアにおけるＤＣピーク信号との間の衝突を回避するために、０１または１０のＤＬ−ＰＴＲＳ−ＲＥ−ｏｆｆｓｅｔを用いてＵＥを構成しないことがある。
【０１０８】
[0122]  図１３は、本開示のいくつかの実施形態による、ＤＣロケーション報告メッセージ要素１３００を例示する。メッセージ要素１３００は、ＤＣロケーション情報を報告するために、ＵＥ１１５および５００などのＵＥによって使用され得る。方法１０００において上述されたように、ＵＥは、ＤＣロケーション（例えば、ＤＣ周波数１００２）を示すために、ＲＢ内のサブキャリアオフセットを報告し得る。ある実施形態において、メッセージ要素１３００は、４ビットの長さ（例えば、ｂ０、ｂ１、ｂ２、およびｂ３として示される）を有し得る。メッセージ要素１３００は、フィールド１３１０およびフィールド１３２０を含み得る。フィールド１３１０は、長さが約２ビットであり得、ＤＭＲＳ構成タイプ１のためのＰＴＲＳ−ＲＥ−ｏｆｆｓｅｔ構成を示し得る。フィールド１３２０は、長さが約２ビットであり得、ＤＭＲＳ構成タイプ２のためのＰＴＲＳ−ＲＥ−ｏｆｆｓｅｔ構成を示し得る。フィールド１３１０またはフィールド１３２０中のＰＴＲＳ−ＲＥ−ｏｆｆｓｅｔ構成は、構成１２００の列１２１０中の値に対応し得る。言い換えれば、ＵＥにＵＥの送信器またはＵＥの受信器のＤＣ周波数のサブキャリアロケーションを報告させる代わりに、ＵＥは、ＢＳが使用し得るＰＴＲＳ−ＲＥ−ｏｆｆｓｅｔ構成を選択し、ＰＴＲＳ−ＲＥ−ｏｆｆｓｅｔ構成をＢＳに直接報告し得る。その後、ＢＳは、ＵＥによって選択されたＰＴＲＳ−ＲＥ−ｏｆｆｓｅｔ構成に基づいてＰＴＲＳを構成し得る。
【０１０９】
[0123]  いくつかの実施形態において、ＵＥは、２つのメッセージ要素１３００を送信し得、１つはＵＬのためのＰＴＲＳ−ＲＥ−ｏｆｆｓｅｔ構成を示し、もう１つはＤＬのためのＰＴＲＳ−ＲＥ−ｏｆｆｓｅｔ構成を示す。メッセージ要素１３００は、４のビット長で例示されているが、メッセージ要素１３００は、ＤＭＲＳポート構成の数が増大するか、またはＤＭＲＳタイプの数が増大するとき、同様の機能を達成するために、異なるビット長（例えば、６、８、またはそれ以上）を含むように代替的に構成され得る。
【０１１０】
[0124]  図１４は、本開示の実施形態による、ＤＣロケーション報告およびＰＴＲＳ通信方法１４００のフロー図である。方法１４００のステップは、ステップを行うためのワイヤレス通信デバイスまたは他の適した手段のコンピューティングデバイス（例えば、プロセッサ、処理回路、および／または他の適したコンポーネント）によって実行され得る。例えば、ＵＥ１１５またはＵＥ５００などのワイヤレス通信デバイスは、プロセッサ５０２、メモリ５０４、ＤＣロケーション報告モジュール５０８、トランシーバ５１０、モデム５１２、および１つ以上のアンテナ５１６などの１つ以上のコンポーネントを利用して、方法１４００のステップを実行し得る。加えてまたは代替として、特に、プロセッサ５０２は、ステップ１４２０を行うように構成され得、トランシーバ５１０は、ステップ１４１０、１４３０、および／またはオプションのステップ１４４０を行うように構成され得る。方法１４００は、それぞれ、図７、８、９、および１０に関して上述された方法７００、８００、９００、および１０００と同様のメカニズムを用い得る。例示されるように、方法１４００は、いくつかの列挙されたステップを含むが、方法１４００の実施形態は、列挙されたステップの前、後、および間に追加のステップを含み得る。いくつかの実施形態では、列挙されたステップのうちの１つ以上が、省略され得るか、または異なる順序で行われ得る。
【０１１１】
[0125]  ステップ１４１０において、方法１４００は、ワイヤレス通信デバイスが基地局（例えば、ＢＳ１０５および６００）から、ＣＡ構成またはＢＷＰ構成のうちの少なくとも１つを受信することを含む。いくつかの事例において、ＣＡ構成は、ＣＡ再構成であり得、ＢＷＰ構成は、ＢＷＰ再構成またはアクティブＢＷＰ切り替えに関連付けられ得る。
【０１１２】
[0126]  ステップ１４２０において、方法１４００は、ワイヤレス通信デバイスが、ＣＡ構成またはＢＷＰ構成のうちの少なくとも１つに基づいて、ＤＣロケーション（例えば、ＤＣロケーション２０２、２０４、２０６、および１００２）を決定することを含む。
【０１１３】
[0127]  ステップ１４３０において、方法１４００は、決定されたＤＣロケーションに基づく報告をワイヤレス通信デバイスによって基地局に送信することを含む。
【０１１４】
[0128]  ステップ１４４０において、方法１４００はオプションとして、ワイヤレス通信デバイスが基地局と、報告に基づいて構成された位相追跡基準信号（ＰＴＲＳ）を通信することを含む。
【０１１５】
[0129]  ある実施形態において、報告は、ワイヤレス通信デバイスのＤＣロケーションと重複する１つ以上のサブキャリアのサブキャリアオフセット情報を含み得る。例えば、サブキャリアオフセット情報は、上述された方法１０００のためのサブキャリアインデックス６を示し得る。代替として、サブキャリアオフセット情報は、ＤＣロケーションが２つの隣接するサブキャリアの間にあることを示し得る。報告は、メッセージ要素１１００と同様のメッセージ要素を含み得る。代替として、報告は、ＤＣロケーションを含むＲＢのロケーションを示し得る。そのような実施形態において、ワイヤレス通信デバイスは、ＰＴＲＳを通信するためにＢＳからＲＥマッピング（例えば、図１２の列１２１０中のＰＴＲＳ−ＲＥ−ｏｆｆｓｅｔ構成）を受信し得る。
【０１１６】
[0130]  ある実施形態において、ワイヤレス通信デバイスは、決定されたＤＣロケーションに基づいてＰＴＲＳを通信するためのＲＥマッピングを決定し得、報告中にＲＥマッピングを含め得る。例えば、報告は、メッセージ要素１３００と同様のメッセージ要素を含み得る。
【０１１７】
[0131]  ある実施形態において、ＤＣロケーションは、ワイヤレス通信デバイスの送信機のＤＣロケーションに対応し得る。そのような実施形態では、ワイヤレス通信デバイスが基地局とＰＴＲＳを通信することが、基地局にＰＴＲＳを送信することを含むことができる。
【０１１８】
[0132]  ある実施形態において、ＤＣロケーションは、ワイヤレス通信デバイスの受信機のＤＣロケーションに対応し得る。そのような実施形態では、ワイヤレス通信デバイスが基地局とＰＴＲＳを通信することが、基地局からＰＴＲＳを受信することを含むことができる。
【０１１９】
[0133]  図１５は、本開示の実施形態による、ＰＴＲＳ通信方法１５００のフロー図である。方法１５００のステップは、ステップを行うためのワイヤレス通信デバイスまたは他の適した手段のコンピューティングデバイス（例えば、プロセッサ、処理回路、および／または他の適したコンポーネント）によって実行され得る。例えば、ＢＳ１０５またはＢＳ６００などのワイヤレス通信デバイスは、プロセッサ６０２、メモリ６０４、ＰＴＲＳ構成モジュール６０８、トランシーバ６１０、および１つ以上のアンテナ６１６などの１つ以上のコンポーネントを利用して、方法１５００のステップを実行し得る。加えてまたは代替として、特に、プロセッサ６０２は、ステップ１５３０を行うように構成され得、トランシーバ６１０は、ステップ１５１０、１５２０、および／またはオプションのステップ１５４０を行うように構成され得る。方法１５００は、それぞれ、図７、８、９、１０、および１２に関して上述された方法７００、８００、９００、および１０００並びに構成１２００におけるものと同様のメカニズムを用い得る。例示されるように、方法１５００は、いくつかの列挙されたステップを含むが、方法１５００の実施形態は、列挙されたステップの前、後、および間に追加のステップを含み得る。いくつかの実施形態では、列挙されたステップのうちの１つ以上が、省略され得るか、または異なる順序で行われ得る。
【０１２０】
[0134]  ステップ１５１０において、方法１５００は、ＢＳがワイヤレス通信デバイス（例えば、ＵＥ１１５および５００）に、ＣＡ構成またはＢＷＰ構成のうちの少なくとも１つを送信することを含む。いくつかの事例において、ＣＡ構成は、ＣＡ再構成であり得、ＢＷＰ構成は、ＢＷＰ再構成またはアクティブＢＷＰ切り替えに関連付けられ得る。
【０１２１】
[0135]  ステップ１５２０において、方法１５００は、ＢＳがワイヤレス通信デバイスから、ＣＡ構成またはＢＷＰ構成のうちの少なくとも１つに応答して、ワイヤレス通信デバイスに関連付けられたＤＣロケーション情報を示す報告を受信することを含む。
【０１２２】
[0136]  ステップ１５３０において、方法１５００は、ＢＳが、報告中のＤＣロケーション情報に基づいてＰＴＲＳ構成（例えば、図１２の列１２１０中のＰＴＲＳ−ＲＥ−ｏｆｆｓｅｔ構成と同様のＲＥマッピング）を決定することを含む。
【０１２３】
[0137]  ステップ１５４０において、方法１５００はオプションとして、ＢＳがワイヤレス通信デバイスと、決定されたＰＴＲＳ構成に基づいて、ＰＴＲＳを通信することを含む。
【０１２４】
[0138]  ある実施形態において、報告は、ワイヤレス通信デバイスのＤＣロケーションと重複する１つ以上のサブキャリアのサブキャリアオフセット情報を含み得る。例えば、サブキャリアオフセット情報は、上述された方法１０００のためのサブキャリアインデックス６を示し得る。代替として、サブキャリアオフセット情報は、ＤＣロケーションが２つの隣接するサブキャリアの間にあることを示し得る。報告は、メッセージ要素１１００と同様のメッセージ要素を含み得る。代替として、報告は、ワイヤレス通信デバイスのＤＣロケーションを含むＲＢを含み得る。ある実施形態において、報告は、ＰＴＲＳを通信するためのＲＥマッピングを含み得る。例えば、報告は、メッセージ要素１３００と同様のメッセージ要素を含み得る。ある実施形態において、ＢＳは、ワイヤレス通信デバイスのＤＣロケーションと重複するサブキャリアを使用することを回避するために、ＵＬおよび／またはＰＴＲＳ送信のためのＵＬおよび／またはＤＬリソースを構成することによって、ＰＴＲＳ構成を決定し得る。
【０１２５】
[0139]  ある実施形態において、ＤＣロケーションは、ワイヤレス通信デバイスの送信機のＤＣロケーションに対応し得る。そのような実施形態では、ＢＳがワイヤレス通信デバイスとＰＴＲＳを通信することが、報告中のＤＣロケーション情報に基づいてＢＳからＰＴＲＳを受信することを含むことができる。
【０１２６】
[0140]  ある実施形態において、ＤＣロケーションは、ワイヤレス通信デバイスの受信機のＤＣロケーションに対応し得る。そのような実施形態では、ＢＳがワイヤレス通信デバイスとＰＴＲＳを通信することが、報告中のＤＣロケーション情報に基づいてＢＳにＰＴＲＳを送信することを含むことができる。
【０１２７】
[0141]  ある実施形態では、ＵＬの場合、ＤＣロケーションシグナリングが、ＲＲＣＲｅｃｏｎｆｉｇｕｒａｔｉｏｎＣｏｍｐｌｅｔｅメッセージ中に含まれる。ＵＥは、ＢＷＰ構成およびサービングセル構成時に、構成されたＢＷＰ毎およびサービングセル毎にＤＣロケーションを報告する。ＵＥは、ＲＲＣ接続再構成の成功裏の完了を確認するために、ＢＳにＲＲＣＲｅｃｏｎｆｉｇｕｒａｔｉｏｎＣｏｍｐｌｅｔｅメッセージを送り得る。ＲＲＣＲｅｃｏｎｆｉｇｕｒａｔｉｏｎＣｏｍｐｌｅｔｅメッセージは、ｕｐｌｉｎｋＴｘＤｉｒｅｃｔＣｕｒｒｅｎｔＬｉｓｔ情報要素（ＩＥ）を含む。ｕｐｌｉｎｋＴｘＤｉｒｅｃｔＣｕｒｒｅｎｔＬｉｓｔ ＩＥは、ＢＷＰヌメロロジおよび関連するキャリア帯域幅に基づいて、サービングセル中の各構成されたＵＬ ＢＷＰのためのサービングセル毎のＴｘ直流ロケーションを示す。ＵｐｌｉｎｋＴｘＤｉｒｅｃｔＣｕｒｒｅｎｔＬｉｓｔ ＩＥは、以下に示されるようなＵｐｌｉｎｋＴｘＤｉｒｅｃｔＣｕｒｒｅｎｔＣｅｌｌフィールドのシーケンスを含む：
ＵｐｌｉｎｋＴｘＤｉｒｅｃｔＣｕｒｒｅｎｔＬｉｓｔ：：＝ＳＥＱＵＥＮＣＥ（ＳＩＺＥ（１．．ｍａｘＮｒｏｆＳｅｒｖｉｎｇＣｅｌｌｓ））ＯＦ  ＵｐｌｉｎｋＴｘＤｉｒｅｃｔＣｕｒｒｅｎｔＣｅｌｌ
【０１２８】
[0142]  各ＵｐｌｉｎｋＴｘＤｉｒｅｃｔＣｕｒｒｅｎｔＣｅｌｌフィールドは、以下に示されるようなｓｅｒｖＣｅｌｌＩｎｄｅｘフィールドおよびｕｐｌｉｎｋＤｉｒｅｃｔＣｕｒｒｅｎｔＢＷＰフィールドを各々が含むタプルのシーケンスを含む：
ＵｐｌｉｎｋＴｘＤｉｒｅｃｔＣｕｒｒｅｎｔＣｅｌｌ：：＝ＳＥＱＵＥＮＣＥ｛
ｓｅｒｖＣｅｌｌＩｎｄｅｘ                    ＳｅｒｖＣｅｌｌＩｎｄｅｘ，（ｃｏｎｆｉｇ ｓｅｒｖｉｎｇ ｃｅｌｌ，０＝ｐｃｅｌｌ，１＝ｓｃｅｌｌ
ｕｐｌｉｎｋＤｉｒｅｃｔＣｕｒｒｅｎｔＢＷＰ  ＳＥＱＵＥＮＣＥ（ＳＩＺＥ（１．．ｍａｘＮｒｏｆＢＷＰｓ））ＯＦ  ＵｐｌｉｎｋＴｘＤｉｒｅｃｔＣｕｒｒｅｎｔＢＷＰ，
．．．
｝．
ｓｅｒｖＣｅｌｌＩｎｄｅｘフィールドは、ｕｐｌｉｎｋＤＣＬｏｃａｔｉｏｎｓＰｅｒＢＷＰに対応するサービングセルのサービングセルＩＤを示す。例えば、ｓｅｒｖＣｅｌｌＩｎｄｅｘフィールドは、プライマリセル（ＰＣｅｌｌ）を示すために０の値に、第１のセカンダリセル（ＳＣｅｌｌ）を示すために１の値に、または第２のＳＣｅｌｌを示すために２の値に設定され得る。ｕｐｌｉｎｋＤｉｒｅｃｔＣｕｒｒｅｎｔＢＷＰフィールドは、対応するサービングセルにおいて構成された全てのアップリンクＢＷＰのためのＴｘ直流ロケーションを示す。
【０１２９】
[0143]  ｕｐｌｉｎｋＤｉｒｅｃｔＣｕｒｒｅｎｔＢＷＰフィールドは、以下に示されるように、ｂｗｐ−Ｉｄフィールド、ｓｈｉｆｔ７ｄｏｔ５ｋＨｚフィールド、およびｔｘＤｉｒｅｃｔＣｕｒｒｅｎｔＬｏｃａｔｉｏｎフィールドを各々が含むタプルのシーケンスを含む：
ＵｐｌｉｎｋＴｘＤｉｒｅｃｔＣｕｒｒｅｎｔＢＷＰ：：＝  ＳＥＱＵＥＮＣＥ｛
ｂｗｐ−Ｉｄ                                    ＢＷＰ−Ｉｄ，（４ ＢＷＰｓ）
ｓｈｉｆｔ７ｄｏｔ５ｋＨｚ                      ＢＯＯＬＥＡＮ，
ｔｘＤｉｒｅｃｔＣｕｒｒｅｎｔＬｏｃａｔｉｏｎ  ＩＮＴＥＧＥＲ（０．．３３０１）
｝．
ｂｗｐ−Ｉｄフィールドは、対応するアップリンクＢＷＰのＢＷＰ−Ｉｄを示す。ｓｈｉｆｔ７ｄｏｔ５ｋＨｚフィールドは、７．５ｋＨｚのシフトがあるか否かを示す。フィールドがＴＲＵＥに設定されている場合、７．５ｋＨｚのシフトが適用される。７．５ｋＨｚシフトは、例えば、基準点からのサブキャリア距離を表すｔｘＤｉｒｅｃｔＣｕｒｒｅｎｔＬｏｃａｔｉｏｎに適用され得る。故に、ｔｘＤｉｒｅｃｔＣｕｒｒｅｎｔＬｏｃａｔｉｏｎによって示されるサブキャリアインデックスによって示されるサブキャリアの周波数値に、７．５ｋＨｚシフトが適用され得る、例えば、７．５ｋＨｚが追加され得る。新しいＤＣロケーションは、シフトが適用された後に結果として生じる値によって示され得る（ｓｈｉｆｔ７ｄｏｔ５ｋＨｚによって示される場合）。そうでない場合、７．５ｋＨｚシフトは、適用されない。ｔｘＤｉｒｅｃｔＣｕｒｒｅｎｔＬｏｃａｔｉｏｎフィールドは、キャリアのためのアップリンクＴｘ直流ロケーションを示す。ｔｘＤｉｒｅｃｔＣｕｒｒｅｎｔＬｏｃａｔｉｏｎフィールドは、対応するアップリンクＢＷＰのヌメロロジに対応するキャリア内のサブキャリアインデックスを示すために０と３２９９との間の値範囲中の値に、「キャリアの外側」を示すために３３００の値に、「キャリア内の未決定の位置」を示すために３３０１の値に設定される。例えば、各ＵＥは、各ＣＣに対して最大約４つのＢＷＰを用いて構成され得る。そのため、ＵＥは、各ＣＣに対して最大約４つのＵｐｌｉｎｋＴｘＤｉｒｅｃｔＣｕｒｒｅｎｔＢＷＰフィールドを報告し得、ここで、各ＵｐｌｉｎｋＴｘＤｉｒｅｃｔＣｕｒｒｅｎｔＢＷＰフィールドは、所与のＣＣに対する１つのＢＷＰに対応し得る。
【０１３０】
[0144]  それ故に、いくつかの事例では、ＵＥが、ＵｐｌｉｎｋＴｘＤｉｒｅｃｔＣｕｒｒｅｎｔＬｉｓｔ ＩＥを使用して、構成された帯域またはＢＷＰ（例えば、４つのＢＷＰ）に応じた(as a function of )ＤＣロケーションを含む帯域報告を含み得る。例えば、図７、８、９、１４、および／または１５に関して上述された方法７００、８００、９００、１４００、および／または１５００におけるＤＣロケーション報告は、それぞれ、ＵｐｌｉｎｋＴｘＤｉｒｅｃｔＣｕｒｒｅｎｔＬｉｓｔ ＩＥを使用してＤＣロケーションを示し得る。さらに、いくつかの事例において、ＵＥは、ＢＷＰ構成、ＢＷＰ切り替え、ＢＷＰ再構成、および／またはサービングセル構成に基づいて、ＲＲＣＲｅｃｏｎｆｉｇｕｒａｔｉｏｎＣｏｍｐｌｅｔｅメッセージ報告を送信することによって、ＤＣロケーション報告を送信し得る。
【０１３１】
[0145]  情報および信号は、多様な異なる技術および技法のうちの任意のものを使用して表わされ得る。例えば、上記の説明全体を通じて参照され得るデータ、命令、コマンド、情報、信号、ビット、シンボル、およびチップは、電圧、電流、電磁波、磁場若しくは磁性粒子、光場若しくは光粒子、またはそれらの任意の組み合わせによって表され得る。
【０１３２】
[0146]  本明細書での開示に関連して説明された様々な例示的なブロックおよびモジュールは、汎用プロセッサ、ＤＳＰ、ＡＳＩＣ、ＦＰＧＡ若しくは他のプログラマブルロジックデバイス、ディスクリートゲート若しくはトランジスタロジック、ディスクリートハードウェアコンポーネント、または本明細書で説明された機能を行うように設計されたそれらの任意の組み合わせを用いて実現または行われ得る。汎用プロセッサは、マイクロプロセッサであり得るが、代替で、プロセッサは、任意の従来のプロセッサ、コントローラ、マイクロコントローラ、またはステートマシンであり得る。プロセッサはまた、コンピューティングデバイスの組み合わせ（例えば、ＤＳＰとマイクロプロセッサとの組み合わせ、複数のマイクロプロセッサ、ＤＳＰコアと連携した１つ以上のマイクロプロセッサ、または任意の他のそのような構成）として実現され得る。
【０１３３】
[0147]  本明細書で説明された機能は、ハードウェア、プロセッサによって実行されるソフトウェア、ファームウェア、またはそれらの任意の組み合わせで実現され得る。プロセッサによって実行されるソフトウェアで実現される場合、それら機能は、１つ以上の命令またはコードとして、コンピュータ可読媒体上に記憶され得るか、またはコンピュータ可読媒体を通して送信され得る。他の例および実現形態は、本開示および添付された特許請求の範囲内にある。例えば、ソフトウェアの性質に起因して、上述された機能は、プロセッサによって実行されるソフトウェア、ハードウェア、ファームウェア、ハード配線、またはこれらのうちの任意のものの組み合わせを使用して実現され得る。機能を実現する特徴はまた、機能の一部分が異なる物理的ロケーションにおいて実現されるように分散されることを含め、様々な位置において物理的にロケートされ得る。また、特許請求の範囲を含め、本明細書で使用される場合、項目のリスト（例えば、「〜のうちの少なくとも１つ（at least one of）」または「〜のうちの１つ以上（one or more of）」などのフレーズで始まる項目のリスト）中で使用される「または／若しくは（or）」は、例えば、［Ａ、Ｂ、またはＣのうちの少なくとも１つ]  のリストが、Ａ、Ｂ、Ｃ、ＡとＢ、ＡとＣ、ＢとＣ、またはＡとＢとＣ（即ち、Ａ、Ｂ、およびＣ）を意味するような、包含的なリストを示す。
【０１３４】
[0148]  当業者がこれまでに認識することになるように、および当面の特定の用途に応じて、本開示のデバイスの材料、装置、構成、および使用方法に対して、その趣旨および範囲から逸脱することなく、多くの修正、置換、および変形が行われことができる。これを踏まえると、本開示の範囲は、本明細書で例示および説明された特定の実施形態が単にそのいくつかの例に過ぎないため、それら範囲に制限されるべきでなく、むしろ、以下に添付された特許請求の範囲およびそれらの機能的均等物の範囲に完全に一致するべきである。
【図１】
2021521680.tif 000003
【図２】
2021521680.tif 000004
【図３】
2021521680.tif 000005
【図４】
2021521680.tif 000006
【図５】
2021521680.tif 000007
【図６】
2021521680.tif 000008
【図７】
2021521680.tif 000009
【図８】
2021521680.tif 000010
【図９】
2021521680.tif 000011
【図１０】
2021521680.tif 000012
【図１１】
2021521680.tif 000013
【図１２】
2021521680.tif 000014
【図１３】
2021521680.tif 000015
【図１４】
2021521680.tif 000016
【図１５】
2021521680.tif 000017
【国際調査報告】
2021521680.tif 000018
2021521680.tif 000019
2021521680.tif 000020